(57)【要約】  リアクトル（１０１）は、第１のケース（１０）と、複数の第１のコア片（２１）と、第２のコア片（２２）と、コイル（３０）とを備える。第１のケース（１０）は閉ループの一部としての形状を有する。複数の第１のコア片（２１）は第１のケース（１０）内に配置される。第２のコア片（２２）は第１のケース（１０）内の複数の第１のコア片（２１）と併せて閉ループ状の閉磁路となるように配置される。コイル（３０）は閉磁路に巻回される。第１のケース（１０）の外枠としての第１のケース外枠部（１１）の内部には、複数の第１のコア片（２１）と、複数の第１のコア片（２１）のうち隣り合う１対の第１のコア片（２１）の間を区画する仕切り（１２）とが配置される。第１のケース（１０）は、第２のコア片（２２）の少なくとも一部を収納可能な形状を有する。第１のケース外枠部（１１）は、複数の第１のコア片（２１）を収納可能な第１のケース外枠部の部分である第１のケース収納部（１１Ａ）と、第１のケース収納部（１１Ａ）の内部の空間を覆う第１のケース蓋部（１１Ｂ）とを含む。
2020066631.tif 000002
【特許請求の範囲】
【請求項１】
閉ループの一部としての形状を有する第１のケースと、
前記第１のケース内に配置される複数の第１のコア片と、
前記第１のケース内の前記複数の第１のコア片と併せて閉ループ状の閉磁路となるように配置される第２のコア片と、
前記閉磁路に巻回されるコイルとを備え、
前記第１のケースの外枠としての第１のケース外枠部の内部には、前記複数の第１のコア片と、前記複数の第１のコア片のうち隣り合う１対の第１のコア片の間を区画する仕切りとが配置され、
前記第１のケースは、前記第２のコア片の少なくとも一部を収納可能な形状を有し、
前記第１のケース外枠部は、前記複数の第１のコア片を収納可能な前記第１のケース外枠部の部分である第１のケース収納部と、前記第１のケース収納部の内部の空間を覆う第１のケース蓋部とを含む、リアクトル。
【請求項２】
前記仕切りにより区画される前記隣り合う１対の第１のコア片は、空隙を介して対向している、請求項１に記載のリアクトル。
【請求項３】
前記第１のケース外枠部の内部には互いに間隔をあけて複数のリブが形成され、
前記複数のリブのうち互いに隣り合う１対のリブの間に、前記仕切りが取り外し可能に配置される、請求項１または２に記載のリアクトル。
【請求項４】
前記第１のケースは、前記複数の第１のコア片を収納可能な前記第１のケース外枠部と、前記第１のケース外枠部の内部に配置され前記第１のケース外枠部に対して脱着可能な前記仕切りとを含み、
前記仕切りは、複数の第１のケース仕切り部が間隔を隔てて一体となっている、請求項１〜３のいずれか１項に記載のリアクトル。
【請求項５】
前記第１のケースは、前記複数の第１のコア片を収納可能な前記第１のケース外枠部と、前記第１のケース外枠部の内部に配置され前記第１のケース外枠部に対して脱着可能な前記仕切りとを含み、
前記仕切りは、複数の第１のケース仕切り部が間隔を隔てて一体となっており、
前記第１のケース蓋部には、前記仕切りとしての第２のケース仕切り部が、前記第１のケース蓋部と一体となるように形成されている、請求項１〜３のいずれか１項に記載のリアクトル。
【請求項６】
前記第１のケース仕切り部は、前記第１のケース収納部に一体形成された第１部分であり、
前記第２のケース仕切り部は、前記第１のケース蓋部に一体形成された第２部分である、請求項５に記載のリアクトル。
【請求項７】
前記複数の第１のコア片のうち隣り合う１対の第１のコア片の間の領域としてのギャップが複数形成され、
前記第１部分と、前記第２部分とは、前記複数のギャップのそれぞれに、前記複数のギャップのそれぞれが並ぶ方向に関して交互に配置される、請求項６に記載のリアクトル。
【請求項８】
前記第１のケース収納部と、前記第１のケース蓋部とは、嵌合機構により嵌合されている、請求項１〜７のいずれか１項に記載のリアクトル。
【請求項９】
前記第１のケース外枠部の内部には、緩衝材および接着剤の少なくともいずれか一方が配置され、
前記第１のケース外枠部と、前記複数の第１のコア片とは、前記緩衝材および前記接着剤の少なくともいずれか一方により接合される、請求項１〜８のいずれか１項に記載のリアクトル。
【請求項１０】
前記第１のケースの外側に配置されるボビン部をさらに備え、
前記コイルは前記ボビン部の外側に巻回されている、請求項１〜９のいずれか１項に記載のリアクトル。
【請求項１１】
前記第１のケース外枠部には、前記複数の第１のコア片のそれぞれを介して互いに対向する少なくとも１組の面のそれぞれに開口部が形成されている、請求項１〜１０のいずれか１項に記載のリアクトル。
【請求項１２】
前記仕切りを介して配置される前記複数の第１のコア片のうち一の隣り合う１対の第１のコア片の間隔は、他の前記隣り合う１対の第１のコア片の間隔と異なる、請求項１〜１１のいずれか１項に記載のリアクトル。
【請求項１３】
閉ループの一部としての形状を有する第１のケースと、
前記第１のケース内に配置される複数の第１のコア片と、
前記第１のケース内の前記複数の第１のコア片と併せて閉ループ状の閉磁路となるように配置される第２のコア片と、
前記閉磁路に巻回されるコイルとを備え、
前記第１のケースの外枠としての第１のケース外枠部の内部には、前記複数の第１のコア片と、前記複数の第１のコア片のうち隣り合う１対の第１のコア片の間を区画する仕切りとが配置され、
前記第２のコア片の少なくとも一部は、前記複数の第１のコア片が並ぶ第１方向の第１の端部において、前記第１方向に交差する第２方向に延びるように、前記第１のケース内に収納され、
前記第１のケース内に収納された前記第２のコア片の前記第２方向の第２の端部に隣接する最外部の少なくとも１つにおいて、前記第１のケースには前記第２のコア片を出し入れるための開口が形成され、
前記第１のケース外枠部は、前記複数の第１のコア片を収納可能な前記第１のケース外枠部の部分である第１のケース収納部と、前記第１のケース収納部の内部の空間を覆う第１のケース蓋部とを含む、リアクトル。
【請求項１４】
前記開口は前記第１のケース外枠部の前記第２方向の一方の最外部に形成され、
前記第１のケース外枠部の前記第２方向の、前記一方の最外部と反対側の他方の最外部には、固定壁部が形成される、請求項１３に記載のリアクトル。
【発明の詳細な説明】
【技術分野】
【０００１】
本発明はリアクトルに関し、特に複数の第１のコア片および仕切りを備えるリアクトルに関するものである。
【背景技術】
【０００２】
近年、電力変換装置の小型化および高出力化に対する需要が高まっている。一般に、電力変換装置に含まれる半導体素子のスイッチング周波数を高周波化すれば、電力変換装置に含まれるリアクトルが小型化できることが知られている。しかしながら、高周波化によってリアクトルに含まれるコアで発生する損失が増加する。【０００３】
その対策として、コアを損失の小さい材料で形成することが必要とされる。しかしそのような材料を用いる場合には、所望の電気的特性を得るために、コアで構成される磁路に空隙が設けられる。すなわち複数のコア片により磁路が形成され、当該磁路において複数のコア片のうち隣り合う１対のコア片の間に空隙が設けられる。このような、隣り合う１対のコア片の間の空隙はコアギャップと呼ばれる。たとえば特開２０１６−１７１１３７号公報（特許文献１）には、リアクトルに含まれるコア片を保持するための筒状の介在部材にモールド材などが充填される。これによりリアクトルの製造工程における生産性が高められる。
【先行技術文献】
【特許文献】
【０００４】
【特許文献１】特開２０１６−１７１１３７号公報
【発明の概要】
【発明が解決しようとする課題】
【０００５】
特開２０１６−１７１１３７号公報のリアクトルは、複数の内コア片が互いにコアギャップを保つように配置される。複数の内コア片のそれぞれは、コアギャップに配置される介在部材に把持される。当該複数の内コア片と介在部材との組物がさらに外コア片に組み付けられる。このように形成された組合体がさらに金型内に配置され、そこへモールド樹脂が充填および固化される。以上のような手順で製造されるリアクトルは、その生産に時間を要するという問題がある。【０００６】
本発明は上記の課題に鑑みなされたものである。その目的は、互いに空隙を有するように配置される複数のコア片を備えることにより所望の電気的特性を有し、かつ容易に生産可能なリアクトルを提供することである。
【課題を解決するための手段】
【０００７】
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片と、複数の第１のコア片のうち隣り合う１対の第１のコア片の間を区画する仕切りとが配置される。【０００８】
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片と、複数の第１のコア片のうち隣り合う１対の第１のコア片の間を区画する仕切りとが配置される。第１のケースは、第２のコア片の少なくとも一部を収納可能な形状を有する。第１のケース外枠部は、複数の第１のコア片を収納可能な第１のケース外枠部の部分である第１のケース収納部と、第１のケース収納部の内部の空間を覆う第１のケース蓋部とを含む。【０００９】
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片と、複数の第１のコア片のうち隣り合う１対の第１のコア片の間を区画する仕切りとが配置される。第２のコア片の少なくとも一部は、複数の第１のコア片が並ぶ第１方向の第１の端部において、第１方向に交差する第２方向に延びるように、第１のケース内に収納される。第１のケース内に収納された第２のコア片の第２方向の第２の端部に隣接する最外部の少なくとも１つにおいて、第１のケースには第２のコア片を出し入れるための開口が形成される。第１のケース外枠部は、複数の第１のコア片を収納可能な第１のケース外枠部の部分である第１のケース収納部と、第１のケース収納部の内部の空間を覆う第１のケース蓋部とを含む。
【発明の効果】
【００１０】
本発明によれば、第１のケース外枠部と、その内部の第１のコア片および仕切りにより、所望の電気的特性を有するリアクトルを容易に提供できる。
【図面の簡単な説明】
【００１１】
【図１】実施の形態１の第１例に係るリアクトルに含まれる各部材の配置態様を示す概略斜視図である。
【図２】実施の形態１の第１例に係るリアクトルの完成品の外観態様を示す概略斜視図である。
【図３】図２のＩＩＩ−ＩＩＩ線に沿う部分の概略断面図である。
【図４】実施の形態１の第２例に係るリアクトルの完成品の外観態様を示す概略斜視図である。
【図５】図４のリアクトルの第１のケース収納部と第１のケース蓋部との嵌合構造の部分の概略拡大断面図である。
【図６】実施の形態１の第３例に係るリアクトルの完成品の外観態様を示す概略斜視図である。
【図７】第１のケース収納部の内部へのコア片の固定方法の第１例を示す概略図である。
【図８】第１のケース収納部の内部へのコア片の固定方法の第２例を示す概略図である。
【図９】第１のケース収納部の内部へのコア片の固定方法の第３例を示す概略図である。
【図１０】第１のケース収納部の内部へのコア片の固定方法の第４例を示す概略図である。
【図１１】実施の形態１の複数のコア片による閉磁路を通る磁束を示す概略平面図である。
【図１２】コア片の一部が図１１の状態から動いて、コアギャップが均等でなくなった状態を示す概略平面図である。
【図１３】実施の形態２に係るリアクトルの第１のケースの特徴部分を示す概略拡大斜視図である。
【図１４】実施の形態３に係るリアクトルの第１のケースの特徴部分を示す概略拡大斜視図である。
【図１５】実施の形態４に係るリアクトルの第１のケースの特徴部分、および完成品を示す概略斜視図である。
【図１６】実施の形態５に係るリアクトルに含まれる各部材の配置態様を示す概略斜視図である。
【図１７】実施の形態６に係るリアクトルに含まれる各部材の配置態様を示す概略斜視図である。
【図１８】実施の形態６に係るリアクトルの完成品の外観態様を示す概略斜視図である。
【図１９】図１８のＸＩＸ−ＸＩＸ線に沿う部分の概略断面図である。
【図２０】図１８のＸＸ−ＸＸ線に沿う部分の概略断面図である。
【図２１】実施の形態７に係るリアクトルの完成品の外観態様を示す概略斜視図である。
【図２２】実施の形態８に係るリアクトルに含まれる各部材の配置態様を示す概略斜視図である。
【図２３】実施の形態８に係るリアクトルの完成品の外観態様を示す概略斜視図である。
【図２４】実施の形態８におけるリアクトルの、第１のケースと第２のケースとの接合方法の第１例を示す概略図である。
【図２５】実施の形態８におけるリアクトルの、第１のケースと第２のケースとの接合方法の第２例を示す概略図である。
【図２６】実施の形態９の第１例に係るリアクトルの完成品の一部分の概略断面図である。
【図２７】実施の形態９の第２例に係るリアクトルの完成品の一部分の概略断面図である。
【図２８】実施の形態９の第３例に係るリアクトルの完成品の一部分の概略断面図である。
【図２９】実施の形態９の第４例に係るリアクトルの完成品の一部分の概略断面図である。
【図３０】実施の形態１０の第１例に係るリアクトルの第１のケースに第２のコア片が挿入される態様を示す概略斜視図である。
【図３１】実施の形態１０の第１例に係るリアクトルの完成品の外観態様を示す概略斜視図である。
【図３２】実施の形態１０の第２例に係るリアクトルの第１のケースに第２のコア片が挿入される態様を示す概略斜視図である。
【発明を実施するための形態】
【００１２】
以下、本発明の実施の形態について図に基づいて説明する。
実施の形態１．
まず図１〜図３を用いて、本実施の形態の第１例のリアクトルについて説明する。なお、説明の便宜のため、Ｘ方向、Ｙ方向、Ｚ方向が導入されている。具体的には、Ｘ方向は水平方向であり、Ｙ方向は奥行き方向である。またＺ方向は鉛直方向である。図１は実施の形態１の第１例に係るリアクトルに含まれる各部材の配置態様を示す概略斜視図である。図２は実施の形態１の第１例に係るリアクトルの完成品の外観態様を示す概略斜視図である。すなわち図１のように配置される各部材を組み立てて完成させたものが図２に示される。
【００１３】
図１および図２を参照して、実施の形態１の第１例に係るリアクトル１０１は、第１のケース１０と、コア片２０と、コイル３０とを主に有している。第１のケース１０は、リアクトル１０１のコア片２０により形成される閉ループ、または閉ループ状の閉磁路の一部としての形状を有している。具体的には、第１のケース１０は、平面視においてＸ方向に沿って延びる部分と、Ｙ方向に沿って延びる部分とを有している。第１のケース１０は、Ｘ方向に沿って延びる部分のＸ方向に関する一方の端部、およびその反対側の他方の端部において屈曲し、そこからＹ方向正側に向けて延びている。すなわち第１のケース１０は、１つのＸ方向に沿って延びる部分と、その両端部が屈曲され形成された２つのＹ方向に沿って延びる部分とを有している。さらに言い換えれば、第１のケース１０は平面視においてＵ字形状を有している。第１のケース１０は、２つのＹ方向に沿って延びる部分の、Ｘ方向に沿って延びる部分側と反対側の端部が、他と繋がることなく開放されている。
【００１４】
第１のケース１０は、第１のケース外枠部１１を外枠とし、その内部はコア片２０などが収納可能な中空となっている。すなわち第１のケース外枠部１１は、第１のケース１０を構成する筐体の部分である。第１のケース外枠部１１は、第１のケース収納部１１Ａと、第１のケース蓋部１１Ｂとを含んでいる。第１のケース収納部１１Ａおよび第１のケース蓋部１１Ｂは、第１のケース外枠部１１すなわち第１のケース１０の筐体の部分である。このため第１のケース収納部１１Ａおよび第１のケース蓋部１１Ｂは、いずれも１つのＸ方向に沿って延びる部分と、その両端部が屈曲され形成された２つのＹ方向に沿って延びる部分とを有している。すなわち第１のケース収納部１１Ａおよび第１のケース蓋部１１Ｂは、いずれも平面視においてＵ字形状を有している。第１のケース収納部１１Ａは、後述のコア片２０を収納可能な第１のケース外枠部１１の本体の部分である。第１のケース蓋部１１Ｂは、第１のケース収納部１１Ａのたとえば図１のＺ方向の最上部にある、第１のケース収納部１１Ａの内壁面を外部に露出する部分を覆う。第１のケース蓋部１１Ｂで覆うことにより、図２に示すように、第１のケース収納部１１Ａの内壁面、および第１のケース収納部１１Ａの内部のコア片２０が外側から視認できなくなる。
【００１５】
第１のケース外枠部１１の内部には、複数の仕切り１２が配置されている。このため第１のケース１０は、第１のケース外枠部１１と、仕切り１２とを含む。仕切り１２は、第１のケース収納部１１Ａの内部に収納された後述の複数のコア片２０のうち隣り合う１対のコア片２０の間を区画する壁面として配置されている。第１のケース収納部１１Ａの２つのＹ方向に沿って延びる部分のそれぞれの内部には、Ｙ方向に関して間隔をあけて複数の仕切り１２が配置される。これらのうちＹ方向にて互いに隣り合う１対の仕切り１２に挟まれた領域ごとに１つずつのコア片２０が配置される。
【００１６】
コア片２０は、複数の第１のコア片２１と、第２のコア片２２とを有している。複数の第１のコア片２１は、第１のケース１０内に配置される。すなわちリアクトル１０１において、複数の第１のコア片２１は、第１のケース収納部１１Ａの内部に収納される。
【００１７】
より具体的には、複数の第１のコア片２１は、図１に示すように、単一の第１のコア片２１Ａと、複数の第１のコア片２１Ｂと、複数の第１のコア片２１Ｃとを含んでいる。単一の第１のコア片２１Ａは、図１に示すように、第１のケース収納部１１Ａの内部のうち、第１のケース１０としての第１のケース外枠部１１がＸ方向に沿って延びる部分に収まる。このため第１のコア片２１Ａは、たとえば細長い直方体状を有している。第１のケース収納部１１ＡがＸ方向に沿って延びる部分と、これがＹ方向に沿って延びる部分との間には仕切り１２が配置されている。仕切り１２により、第１のケース収納部１１Ａ内の第１のコア片２１Ａは、他の第１のコア片２１Ｂなどと間隔をあけるように区画される。
【００１８】
これに対し、複数の第１のコア片２１Ｂおよび複数の第１のコア片２１Ｃは、図１に示すように、Ｘ方向に沿う寸法とＹ方向に沿う寸法とがほぼ等しいか、あるいはわずかの差を有する、第１のコア片２１Ａよりも延びる長さの短い直方体状を有している。複数の第１のコア片２１Ｂ，２１Ｃは、第１のケース収納部１１Ａの内部のうち、第１のケース１０としての第１のケース外枠部１１がＹ方向に沿って延びる部分に収まる。図１においては、第１のコア片２１ＢはＸ方向の左側の第１のケース外枠部１１がＹ方向に沿って延びる部分に収まる。第１のコア片２１ＣはＸ方向の右側の第１のケース外枠部１１がＹ方向に沿って延びる部分に収まる。
【００１９】
上記のように、第１のケース収納部１１ＡのうちＹ方向に沿って延びる部分には、Ｙ方向に関して間隔をあけて複数の仕切り１２が配置される。第１のケース収納部１１ＡのうちＹ方向に沿って延びる部分に配置される複数の第１のコア片２１Ｂ，２１Ｃのそれぞれは、それらのうち隣り合う１対の第１のコア片２１の間に配置される仕切り１２により、Ｙ方向について互いに間隔をあけて配置するように区画される。言い換えれば、仕切り１２により区画される隣り合う１対の第１のコア片２１Ｂ，２１Ｃは、Ｙ方向について空隙を介して対向している。
【００２０】
以上より、仕切り１２は、第１のケース外枠部１１すなわち第１のケース収納部１１Ａの内部で、複数の第１のコア片２１Ａ，２１Ｂ，２１Ｃのうち隣り合う１対の第１のコア片２１Ａ，２１Ｂ，２１Ｃの間を区画する。また第１のケース外枠部１１のうちの第１のケース収納部１１Ａは、複数の第１のコア片２１Ａ，２１Ｂ，２１Ｃを収納可能な第１のケース外枠部１１の部分である。第１のケース外枠部１１のうちの第１のケース蓋部１１Ｂは、第１のケース収納部１１Ａの内部の空間を覆う第１のケース外枠部１１の部分である。これによりリアクトル１０１では、第１のコア片２１は、特にＺ方向について第１のケース収納部１１Ａと第１のケース蓋部１１Ｂとに挟まれる態様となる。このように第１のケース収納部１１Ａと第１のケース蓋部１１Ｂとが第１のコア片２１を挟持することにより、第１のコア片２１が第１のケース外枠部１１から動かないように容易に第１のコア片２１を保持することができる。
【００２１】
なお図１においては、第１のコア片２１Ａは１つである。これに対し図１では、第１のコア片２１Ｂは左側の第１のケース外枠部１１がＹ方向に沿って延びる部分に３つ配置される。また図１では、第１のコア片２１Ｃは右側の第１のケース外枠部１１がＹ方向に沿って延びる部分に３つ配置される。しかし第１のコア片２１はこの数に限定するものではない。第１のケース外枠部１１の内部に収納される第１のコア片２１Ａおよび第１のコア片２１Ｂ，２１Ｃの数、およびそれぞれの第１のコア片２１Ａおよび第１のコア片２１Ｂ，２１Ｃのサイズを図１に対して変更することができる。なおたとえば第１のコア片２１Ｃのみを図１から変更してもよい。ただしこれを変更した場合においても、図１の場合における各第１のコア片２１間の間隙すなわちコアギャップについて、閉磁路の延びる方向に沿う方向のコアギャップの寸法の総和と、変更された各第１のコア片２１間のコアギャップの寸法の総和とがほぼ等しいことが好ましい。
【００２２】
第２のコア片２２は、第１のケース１０の外側に配置される。第２のコア片２２は、第１のケース１０内の複数の第１のコア片２１と併せて、閉ループ状の閉磁路となるように配置されている。すなわち第２のコア片２２は、第１のケース１０の２つのＹ方向に沿って延びる部分の開放された端部同士を繋ぐようにＸ方向に沿って延びるように形成された、細長い直方体状である。
【００２３】
上記のように配置される第２のコア片２２と、第１のケース収納部１１Ａ内の複数の第１のコア片２１Ａ，２１Ｂ，２１Ｃとによりコア片２０の全体が構成される。第１のコア片２１Ａ，２１Ｂ，２１Ｃと、第２のコア片２２とを併せたコア片２０の全体は、仕切り１２により寸断されたコアギャップの部分を無視すれば、概ね平面視において環状である閉ループ状の矩形を形成する。したがって、第１のコア片２１Ａ，２１Ｂ，２１Ｃと、第２のコア片２２とを併せたコア片２０の全体は、閉磁路を構成する。
【００２４】
なお図１においては、第１のコア片２１Ａ〜２１Ｃおよび第２のコア片２２はいずれも直方体状であり、角部はほぼ直角となるように形成されている。ただしリアクトル１００の小型化または軽量化が必要な場合には、電気的特性に影響のない範囲で第１のコア片２１Ａ〜２１Ｃおよび第２のコア片２２の集合した全体において角部になる部分が、直角以外の形状となってもよい。たとえば上記全体において角部になる部分は、直角に対して４５°の角度を有する平面を形成するいわゆるＣ面形状とされてもよい。あるいは上記角部になる部分は、球面状のいわゆるＲ面形状とされてもよい。この場合には、コア片２０の形状がそのように変更されることに併せて第１のケース１０すなわち第１のケース外枠部１１の角部についても同様にＣ面形状またはＲ面形状となるように変形される。
【００２５】
リアクトル１０１では、第１のコア片２１Ａ，２１Ｂ，２１Ｃは第１のケース１０内に収まる。これに対しリアクトル１０１では、第２のコア片２２はケースの外に露出するように配置される。第１のコア片２１Ａ，２１Ｂ，２１Ｃが収納された第１のケース１０の第１のケース外枠部１１と、第２のコア片２２とは、固定部材３１により固定されている。
【００２６】
コイル３０は、閉磁路としてのコア片２０の一部に巻回される。より具体的には、第１のケース外枠部１１の内部に配置される第１のコア片２１Ｂ，２１ＣのＹ方向に沿って延びる部分に、コイル３０が巻回されている。その結果、巻回された当該コイル３０の１つのターンは、Ｙ方向に交差する断面に沿うように配置されている。コイル３０は第１のコア片２１Ｂ，２１Ｃを収納する第１のケース外枠部１１の部分の外側からこれを巻回するように配置される。図２においては概略的に、コイル３０は第１のケース外枠部１１の周囲を矩形状に巻回するように示される。しかしこれに限らず、コイル３０は第１のケース外枠部１１の周囲を円形状または楕円形状に巻回するように示されてもよい。ただしエッジワイズコイルのような、機械的強度の高いコイル３０を使用する場合には、コイル３０の内側となるコイル３０の巻線に囲まれる空間部分の断面の大きさおよび形状を、コイル３０に巻回される第１のケース外枠部１１の断面の大きさおよび形状になるべく近づけることが好ましい。これにより、第１のケース外枠部１１の外側に巻回されたコイル３０を挿入する際に、第１のケース収納部１１Ａと第１のケース蓋部１１Ｂとを外側から巻回するコイル３０が上下側および左右側から挟み込む態様となる。したがってコイル３０により、第１のケース収納部１１Ａおよび第１のケース蓋部１１Ｂを固定することができる。
【００２７】
リアクトル１０１においては第１のケース１０が平面視にてＵ字形状を有している。このためリアクトル１０１においては第１のケース１０が２つのＹ方向に延びる部分を有している。これら２つのＹ方向正側に向けて延びる部分のそれぞれの外側から、これを巻回するようにコイル３０が巻回されている。２つの巻回されたコイル３０同士は、直列接続または並列接続される。これら２つのコイル３０を直列接続した場合には、当該コイル３０のインダクタンス値を大きくすることができる。一方、これら２つのコイル３０を並列接続した場合には、当該コイル３０で発生する損失を低減することができる。リアクトル１００が必要とする電気的特性に応じて、２つのコイル３０を直列接続するかあるいは並列接続するかが選択される。
【００２８】
図３は図２のＩＩＩ−ＩＩＩ線に沿う部分の概略断面図である。すなわち図３においては、リアクトル１０１として完成した状態における第１のケース１０の内部の一部の態様を示している。図３を参照して、リアクトル１０１においては、第１のケース１０が、複数の第１のコア片２１を収納可能な第１のケース外枠部１１と、当該第１のケース外枠部１１の内部に配置される仕切り１２としての第１のケース仕切り部１２Ａとが一体となっている。
【００２９】
すなわちリアクトル１０１においては、仕切り１２が、第１のケース１０の筐体としての第１のケース外枠部１１の部分と一体となるように形成されている。特にリアクトル１０１においては、仕切り１２としての第１のケース仕切り部１２Ａが、第１のケース収納部１１Ａと一体となるように形成されている。すなわち図３では、第１のケース収納部１１Ａの容器状の形状の内側の収納用の中空部分の一部に、第１のケース収納部１１Ａと一体として形成された第１のケース仕切り部１２Ａが複数、たとえばＹ方向に関して互いに間隔をあけて形成されている。これら複数の第１のケース仕切り部１２ＡのうちＹ方向に関して互いに隣り合う１対の第１のケース仕切り部１２Ａの間に挟まれた部分に、第１のコア片２１Ａ，２１Ｂ，２１Ｃが配置されている。図３は図２の右側にて第１のケース１０がＹ方向に延びる部分における断面図であるため、第１のコア片２１Ａおよび第１のコア片２１Ｃが図示される。しかしたとえば図２の左側にて第１のケース１０がＹ方向に延びる部分における断面図には、第１のコア片２１Ａおよび第１のコア片２１Ｂが現れる。
【００３０】
このように仕切り１２が第１のケース収納部１１Ａと一体に形成されることにより、第１のケース収納部１１Ａと一体で仕切り１２を成形することができる。このため両者を同一工程で形成することができる。したがってリアクトル１０１の構成部品数を削減し、製造コストを削減することができる。
【００３１】
図３においては、平面視における第１のケース収納部１１Ａと第１のケース蓋部１１Ｂとのサイズはほぼ等しい。このため図３のように第１のケース蓋部１１Ｂを第１のケース収納部１１Ａ上に被せれば、第１のケース収納部１１Ａと第１のケース蓋部１１Ｂとは第１のケース接触部１１Ｃにて互いに接触する態様となる。このような態様となった第１のケース外枠部１１の全体が、その外側からケース固定用部材４１により巻き付けられる。ケース固定用部材４１は、たとえば粘着テープにより構成されることが好ましい。
【００３２】
図４は実施の形態１の第２例に係るリアクトルの完成品の外観態様を示す概略斜視図である。図５は図４のリアクトルの第１のケース収納部と第１のケース蓋部との嵌合構造の部分の概略拡大断面図である。図４および図５を参照して、本実施の形態の第２例に係るリアクトル１０２は、大筋で第１例に係るリアクトル１０１と同様の構成を有している。このためリアクトル１０２についてリアクトル１０１と同様の構成部材については同一の符号を付しその説明を繰り返さない。ただしリアクトル１０２においては第１のケース蓋部１１Ｂの大きさにおいてリアクトル１０１と異なっている。
【００３３】
具体的には、リアクトル１０２においては、平面視における第１のケース収納部１１Ａのサイズに比べて、第１のケース蓋部１１Ｂとのサイズが大きい。このため第１のケース蓋部１１Ｂを第１のケース収納部１１Ａの上に被せても、第１のケース接触部１１Ｃは形成されない。そこでリアクトル１０２では、第１のケース収納部１１Ａと、第１のケース蓋部１１Ｂとが、図５中の点線で囲まれた領域に示すような、いわゆるスナップフィット構造１３と呼ばれる嵌合機構により嵌合されている。これによりリアクトル１０２では、第１のケース収納部１１Ａと第１のケース蓋部１１Ｂとの嵌合強度が、リアクトル１０１よりも高められる。またこれにより、リアクトル１０２の耐振動性を向上することができる。
【００３４】
図６は実施の形態１の第３例に係るリアクトルの完成品の外観態様を示す概略斜視図である。図６を参照して、本実施の形態の第３例に係るリアクトル１０３は、大筋で第１例に係るリアクトル１０１と同様の構成を有している。このためリアクトル１０３についてリアクトル１０１と同様の構成部材については同一の符号を付しその説明を繰り返さない。ただしリアクトル１０３においては第１のケース外枠部１１の平面形状においてリアクトル１０１と異なっている。
【００３５】
具体的には、リアクトル１０３の第１のケース１０の外枠としての第１のケース外枠部１１は、平面視においてＸ方向に沿って延びる部分と、Ｙ方向に沿って延びる部分とを有している。第１のケース１０は、Ｘ方向に沿って延びる部分のＸ方向に関する一方の端部、およびその反対側の他方の端部において屈曲し、そこからＹ方向正側に向けて延びている。さらに第１のケース１０は、Ｘ方向に沿って延びる部分の中央部からＹ方向正側に向けて延びる部分を有する。すなわちリアクトル１０３は、リアクトル１０１の構成と比較して、Ｘ方向に沿って延びる部分の中央部からＹ方向正側に向けて延びる部分を有する点において異なっている。言い換えれば、リアクトル１０３の第１のケース１０は平面視においてＥ字形状を有している。
【００３６】
第１のケース１０のＸ方向に沿って延びる部分の中央部からＹ方向正側に向けて延びる部分の内部においても、図１と同様に、Ｙ方向に関して間隔をあけて複数の仕切り１２を有する。当該複数の仕切り１２のうち隣り合う１対の仕切り１２の間に第１のコア片２１Ｂ，２１Ｃと同様のサイズの第１のコア片２１が１つずつ配置される。仕切り１２が挟まれるため、隣り合う１対の第１のコア片２１の間には間隔が設けられる。
【００３７】
図６においては、第１のケース外枠部１１の最外部の側面を覆うように、固定部材３１が貼られている。固定部材３１は外側から、第１のケース外枠部１１および第２のコア片２２の最外部の側面上に巻き付けるように配置される。これにより第１のケース外枠部１１と第２のコア片２２とが固定されている。ただし図６においても図１と同様の態様で、すなわち第１のケース外枠部１１の端部および第２のコア片２２の上面上に貼られるように固定部材３１が配置されてもよい。あるいは逆に図１においても図６と同様に固定部材３１が配置されてもよい。
【００３８】
リアクトル１０３においては、第１のケース１０のＸ方向に沿って延びる部分の中央部からＹ方向正側に向けて延びる部分の外側から、これを巻回するようにコイル３０が巻回される。一方、第１のケース１０のＸ方向に沿って延びる部分の一方および他方の端部からＹ方向正側に向けて屈曲するように延びる部分にはコイル３０が巻回されない。このようにリアクトル１０３においては、単一のコイル３０のみが、Ｘ方向に関して３つ並ぶＹ方向に延びる部分のうち例えば中央の当該部分の内部の第１のコア片２１のみに巻回されることが好ましい。
【００３９】
ここで、リアクトル１０１〜１０３を構成する各部材の材料およびサイズ等について説明する。
【００４０】
第１のケース外枠部１１を構成する第１のケース収納部１１Ａ、第１のケース蓋部１１Ｂ、および仕切り１２としての第１のケース仕切り部１２Ａは、いずれも樹脂などの非磁性体材料により構成される。具体的には、上記第１のケース外枠部１１等は、ポリプロプレン、ＡＢＳ樹脂、ポリエチレンテレフタラート（ＰＥＴ）、ポリカーボネート（ＰＣ）、ポリアミド（ＰＡ）、ポリフェニレンサルファイド（ＰＰＳ）、ポリブチレンテレフタラート（ＰＢＴ）、液晶ポリマー（ＬＣＰ）、フッ素、フェノール、メラミン、ポリウレタン、エポキシおよびシリコンからなる群から選択されるいずれかにより構成される。
【００４１】
上記第１のケース外枠部１１等は、一般的に適用される方法で成形されればよい。すなわち上記第１のケース外枠部１１等はたとえば射出成形または３Ｄプリンタを用いた方法により成形される。
【００４２】
第１のケース外枠部１１の特に第１のケース収納部１１Ａと一体となる仕切り１２のＹ方向に関する厚みは、１ｍｍ以下であることが好ましい。仕切り１２が厚すぎればコアギャップの幅が過剰に大きくなる。このことは、漏れ磁束による誘導加熱、およびこれに伴うコイル３０の発熱につながる。このため仕切り１２は比較的薄い１ｍｍ以下とすることが好ましい。
【００４３】
一方、第１のケース外枠部１１の第１のケース収納部１１Ａのうち仕切り１２を除く最も外側の枠体の部分の厚みは任意である。この部分はリアクトル１０１などの電気的特性に影響を与えないためである。このため第１のケース外枠部１１の強度を確保可能な限り、任意の厚みを適用できる。
【００４４】
また第１のケース収納部１１Ａのうち、仕切り１２を除く最も外側の枠体の部分と、各仕切り１２とに囲まれる矩形の空間部分の、平面視におけるＸ方向またはＹ方向に沿う寸法は、５ｍｍ以上２００ｍｍ以下が好ましい。当該空間部分のサイズが小さすぎれば、そこへの第１のコア片２１Ｂなどの挿入時の作業性が悪化する。第１のコア片２１Ｂなどと第１のケース外枠部１１との間隔が小さくなるため、第１のコア片２１Ｂなどの挿入作業が困難であり、その作業に時間を要するためである。一方、当該空間部分のサイズが大きすぎれば、そこに挿入された第１のコア片２１Ｂなどが第１のケース収納部１１Ａ内で動きやすくなる。第１のコア片２１Ｂなどと第１のケース外枠部１１との間隔が大きくなるためである。第１のコア片２１Ｂなどが第１のケース収納部１１Ａ内で動けば、第１のコア片２１Ｂなどの電気的特性が意図せず変化する恐れがあるためである。この観点から、Ｘ方向およびＹ方向の各方向に関して、第１のコア片２１Ｂとそれが収納される空間部分との寸法の差は第１のコア片２１Ｂのその方向の寸法の５％以内とすることが好ましい。このようにすれば、第１のコア片２１Ｂなどの電気的特性の代表項目であるインダクタンス値のばらつきは、±５％以下程度となる。このばらつきの値は、一般的に規定されるリアクトル１０１〜１０３の性能の条件を満たす。
【００４５】
第１のケース収納部１１ＡのＺ方向の寸法すなわち高さは、収納されるコア片２０のＺ方向の寸法の２／３以下であることが好ましい。第１のケース収納部１１Ａが上記より大きいＺ方向の寸法を有すれば、そこへコア片２０を配置する際に、コア片２０を第１のケース収納部１１Ａの深い長さ分だけ移動させる必要が生じることにより、その作業性が低下するためである。
【００４６】
次に、第１のコア片２１および第２のコア片２２からなり、閉磁路を構成するコア片２０は以下の材料により構成される。コア片２０は軟磁性材料である、ダストコア、フェライトコア、アモルファスコア、ナノ結晶コアからなる群から選択されるいずれかの材料により構成される。より具体的には、コア片２０がダストコアからなる場合、コア片２０は純鉄、Ｆｅ−Ｓｉ合金、Ｆｅ−Ｓｉ−Ａｌ合金、Ｎｉ−Ｆｅ合金、Ｎｉ−Ｆｅ−Ｍｏ合金からなる群から選択されるいずれかからなる。あるいはコア片２０がフェライトコアからなる場合、コア片２０はＭｎ−Ｚｎ合金またはＮｉ−Ｚｎ合金からなる。コア片２０の表面には粉末樹脂が塗布されてもよい。このようにすれば、コア片２０を他の部材との間で電気的に絶縁することができる。
【００４７】
上記のなかでも特にフェライトコアは衝撃に対して弱く、衝撃により欠けまたは割れが発生する可能性がある。しかしフェライト性のコア片２０は樹脂製の第１のケース１０内に配置される。このためたとえ外部からの衝撃によりコア片２０が第１のケース１０の内部の空間部分で動いても、コア片２０を破損から保護できる効果が期待できる。万が一たとえばＭｎ−Ｚｎ系フェライトのような導電性を有する材料からなるコア片２０に欠けまたは割れが発生したとしても、当該コア片２０の欠けた部分などが電子基板側に飛散しこれを短絡させる可能性を低減できる。コア片２０は第１のケース１０の内部の空間部分に配置されるためである。
【００４８】
平面視にてＵ字形状の第１のケース１０を有するリアクトル１０１，１０２においては、閉磁路を形成するコア片２０の、磁路の方向に交差する部分の形状および断面積はすべてほぼ同じである。すなわち第１のコア片２１Ａ，２１Ｂ，２１Ｃおよび第２のコア片２２はすべて、磁路の方向（当該コア片２０による磁路の延在方向）に交差する部分の形状および断面積はほぼ同じである。これに対し、平面視にてＥ字形状の第１のケース１０を有するリアクトル１０３においては、閉磁路を形成するコア片２０の磁路の方向に交差する部分の断面積は、領域間にて差異が生じている。具体的には、第１のコア片２１Ａ〜２１Ｃは、図６のＸ方向に延びる部分、およびＹ方向に延びる３つの部分のうちＸ方向左端および右端の部分について、すべてほぼ同じ形状および断面積である。また第２のコア片２２の磁路が延びるＸ方向に交差する断面は、上記第１のコア片２１Ａ〜２１Ｃとほぼ同じ形状および断面積である。これに対し、図６のＹ方向に延びる３つの部分のうちＸ方向の中央に配置される第１のコア片２１Ｂまたは第１のコア片２１Ｃは、他の部分の第１のコア片２１および第２のコア片２２に比べ、Ｘ方向寸法が約２倍である。その結果、図６のＹ方向に延びる３つの部分のうちＸ方向の中央に配置される第１のコア片２１Ｂまたは第１のコア片２１Ｃは、他の部分の第１のコア片２１および第２のコア片２２に比べ、断面積が約２倍である。
【００４９】
第１のケース外枠部１１の全体の外形寸法は、Ｘ方向およびＹ方向のそれぞれについて、５００ｍｍ以下であることが好ましい。また第１のケース外枠部１１の全体のＺ方向の寸法は１００ｍｍ以下であることが好ましい。
【００５０】
またいずれのリアクトル１０１〜１０３においても、第１のコア片２１Ａ〜２１Ｃと、第２のコア片２２とは、Ｚ方向の寸法はほぼ同じであることが好ましい。
【００５１】
次に、コイル３０は電流が流れる。このためコイル３０は、電気抵抗率が低い銅またはアルミニウムなどの材料により形成されることが好ましい。コイル３０を構成する導線は、その延びる方向に交差する断面が円形状である比較的太い線形の電線、または当該断面が矩形状である平角線が、第１のケース外枠部１１のたとえばＹ方向に延びる部分の周囲を巻回する。ただしこれらの代わりに、シート状の導体材料が巻回されることによりコイル３０が構成されてもよい。
【００５２】
コイル３０を構成する導線は、第１のケース外枠部１１を螺旋状に巻回する。このためコイル３０の各ターンは、Ｙ方向に交差する断面に沿うように、かつＹ方向に関して１対のターンが隣り合うように、巻回される。コイル３０を構成する導線は、螺旋状に巻回される各ターンのうち隣り合う１対のターンの間で短絡しない構成であることが求められる。この観点から、コイル３０を構成する導線の表面は絶縁被膜に覆われるか、あるいは絶縁紙に巻かれることが好ましい。この絶縁被膜または絶縁紙は、厚みが０．００１ｍｍ以上０．１ｍｍ以下であることが好ましい。このようにすれば、隣り合う１対のコイル３０のターン間の短絡を抑制することができる。
【００５３】
次に、図７〜図１０を参照して、第１のケース収納部１１Ａの内部へのコア片２０の固定方法について説明する。
【００５４】
図７は、第１のケース収納部の内部へのコア片の固定方法の第１例を示す概略図である。図７を参照して、第１のケース収納部１１Ａの内部の、仕切り１２により区画された領域の内部に、第１のコア片２１Ａなどが配置される。そこへＺ方向上方から、第１のケース蓋部１１Ｂが被せられる。ここで、第１のケース蓋部１１Ｂのうち第１のケース収納部１１Ａの内部側、すなわち図７のＺ方向下側の表面上には、突起形状４２が設けられる。突起形状４２はＺ方向下方に向けて突起している。第１のケース蓋部１１Ｂが第１のケース収納部１１Ａ上に被せられ第１のケース収納部１１Ａを塞ぐ。これにより、突起形状４２は第１のコア片２１Ａ上に接触し、これに対してＺ方向上方から下方への力を加える。このようにすれば、当該力により、第１のコア片２１Ａなどは第１のケース収納部１１Ａの内部に固定される。
【００５５】
図８は、第１のケース収納部の内部へのコア片の固定方法の第２例を示す概略図である。図８を参照して、第１のケース収納部１１Ａの内部の、仕切り１２により区画された領域の内部に、第１のコア片２１Ａ，２１Ｂなどが配置される。そこへＺ方向上方から、第１のケース蓋部１１Ｂが被せられる。ここで、第１のケース蓋部１１Ｂのうち第１のケース収納部１１Ａの内部側、すなわち図７のＺ方向下側の表面上には、緩衝材４３が設けられる。緩衝材４３は非磁性体により形成されることが好ましい。緩衝材４３は第１のケース蓋部１１ＢのＺ方向下側の表面上の全体に層状に形成されていることが好ましいが、当該表面上の一部のみに形成されてもよい。
【００５６】
図７および図８においては第１のケース蓋部１１Ｂが第１のケース収納部１１Ａとほぼ同じ平面積を有し、両者間に第１のケース接触部１１Ｃが形成されている。しかしこのような例に限られない。たとえば第１のケース蓋部１１Ｂが第１のケース収納部１１Ａより大きい平面積を有し、両者間がスナップフィット構造１３（図５参照）により嵌合される場合においても、上記と同様の突起形状４２または緩衝材４３が用いられてもよい。
【００５７】
以上においては第１のケース蓋部１１Ｂにより第１のケース収納部１１Ａの内部が塞がれる例が示されている。しかしこのような例に限らず、第１のケース蓋部１１Ｂを有さなくても、第１のケース収納部１１Ａの内部への第１のコア片２１の固定は可能である。
【００５８】
図９は、第１のケース収納部の内部へのコア片の固定方法の第３例を示す概略図である。図９を参照して、第１のケース収納部１１Ａの内部の、仕切り１２により区画された領域の内部に、接着剤４４が配置される。具体的には、第１のケース収納部１１Ａの内部の、仕切り１２により区画された領域の内部の、第１のケース収納部１１Ａの底面上に、接着剤４４が供給される。そこへＺ方向上方から、第１のコア片２１Ａ，２１Ｂ，２１Ｃなどが、第１のケース収納部１１Ａの内部の特に仕切り１２により区画された領域の内部に供給される。これにより、第１のコア片２１Ａ，２１Ｂなどは第１のケース収納部１１Ａの内部の底面に接着される。これにより第１のコア片２１が第１のケース収納部１１Ａの内部に固定される。この場合は第１のケース蓋部１１Ｂを有さなくても、第１のケース収納部１１Ａと第１のコア片２１との固定は可能である。
【００５９】
図８および図９により、本実施の形態においては、第１のケース外枠部１１の内部には、緩衝材４３および接着剤４４の少なくともいずれか一方が配置される。第１のケース外枠部１１と、複数の第１のコア片２１とは、緩衝材４３および接着剤４４の少なくともいずれか一方により接合される。したがって、第１のケース外枠部１１の内部には、緩衝材４３および接着剤４４の双方が配置されてもよい。また第１のケース外枠部１１と、複数の第１のコア片２１とは、緩衝材４３および接着剤４４の双方により接合されてもよい。ここで第１のケース外枠部１１の内部とは、第１のケース収納部１１Ａの内部、およびそこに対向するように被せられる第１のケース蓋部１１ＢのＺ方向下側表面上との双方を含むものとする。これにより、第１のケース外枠部１１と第１のコア片２１とを充分な強度で接合できる。
【００６０】
図１０は、第１のケース収納部の内部へのコア片の固定方法の第４例を示す概略図である。図１０を参照して、まず第１のケース収納部１１Ａの内部の、仕切り１２により区画された領域の内部に、第１のコア片２１が配置される。その後、第１のケース収納部１１Ａの内壁面の一部、特にその内側面のうちＺ方向上部の一部の領域に、ケース端部１１Ｄが加工される。ケース端部１１Ｄは第１のケース収納部１１Ａの内壁面上から、第１のケース収納部１１Ａの仕切り１２で区画された領域の内側に向けて延びる部材である。ケース端部１１Ｄは第１のコア片２１の設置後に後付けするように設置されることが好ましい。ただしケース端部１１Ｄは第１のケース収納部１１Ａに対して外れることのないように強固に固定されることが求められる。またケース端部１１Ｄにより囲まれる領域の平面視による大きさは、第１のケース収納部１１Ａ内に収納された第１のコア片２１などの平面視による大きさよりも小さい。
【００６１】
このようにすれば、取り付けられたケース端部１１Ｄは、第１のコア片２１が第１のケース収納部１１Ａの内部からＺ方向上方に移動しようとする際に障害となる。またケース端部１１Ｄが第１のコア片２１のＺ方向最上部とほぼ同じ位置にＺ方向最下部を有するように形成されれば、ケース端部１１Ｄは第１のコア片２１に対しＺ方向の上方から下向きの力を加えるように押さえる。この力により、第１のコア片２１は第１のケース収納部１１Ａの内部に留まるように固定される。
【００６２】
図９または図１０のように第１のケース蓋部１１Ｂを有さない場合であっても、図９または図１０の構成に限られない。たとえば第１のケース収納部１１Ａの内部に配置された第１のコア片２１が、そのＺ方向上方から粘着テープで固定されてもよい。
【００６３】
次に、リアクトル１０１〜１０３の組立て手順について説明する。まず第１のケース収納部１１Ａの内部の、仕切り１２により区画された領域の内部に、たとえば図７〜図１０のいずれかに示すように、第１のコア片２１が収納され固定される。次に、図２、図４、図６に示す第２のコア片２２が、各図が示すように第１のケース外枠部１１のＹ方向正側の端部に密着される。第２のコア片２２と第１のケース外枠部１１とは、固定部材３１により固定される。固定部材３１は、たとえば粘着テープであることが好ましい。しかしこれに限らず、たとえば接着剤であってもよい。
【００６４】
次に、本実施の形態の背景技術について説明したうえで、本実施の形態の作用効果について説明する。
【００６５】
リアクトルに含まれるコアの材料として、損失が小さい材料が用いられることが必要となる。そのように損失を小さくするために、コアで構成される磁路は、その延びる方向についてある間隔ごとに、磁路としてのコアの材料が配置されない空隙の部分すなわちコアギャップが形成される。従来は、コアギャップの閉磁路に沿う方向の寸法を精確に管理するために、切断されたコアの断面を研磨して、隣り合う１対のコア同士がスペーサまたは接着剤により固定する方法が用いられていた。また従来は、複雑な機構部品により各コアを固定する方法などによりリアクトルを生産していた。しかしこの場合、リアクトルを組み立てるための作業時間を多く要した。このため生産性の低下、およびコスト高騰につながるという課題があった。
【００６６】
そこで本実施の形態では、第１のケース１０の外枠としての第１のケース外枠部１１の内部には、複数の第１のコア片２１と、隣り合う１対の第１のコア片２１の間を区画する仕切り１２とが配置される。また第１のケース１０の外側には、第１のケース１０内の第１のコア片２１と併せて閉ループ状の閉磁路となるように配置される第２のコア片２２が配置される。第１のケース外枠部１１の内部に仕切り１２が配置され、それによって区切られるように複数の第１のコア片２１が配置されるため、複数の第１のコア片２１の間にコアギャップが設けられた複数の第１のコア片２１からなる構造を得ることができる。第１のケース外枠部１１の外形寸法を規定し、その中に第１のコア片２１を収納するだけで、各複数の第１のコア片２１間のコアギャップの総和の値を管理することができる。このため各第１のコア片２１間のコアギャップを精確に管理する必要がない。また複雑な機構部品を用いて各第１のコア片２１を固定する必要もない。ただ仕切り１２を有する第１のケース外枠部１１を用いるだけで、リアクトル１０１〜１０３を容易に生産することができる。すなわちリアクトル１０１〜１０３の生産性を大幅に向上させることができる。
【００６７】
本実施の形態では、仕切り１２により区画される、たとえばＹ方向について隣り合う１対の第１のコア片２１Ｂ（２１Ｃ）は、空隙を介して対向していることが好ましい。つまりたとえば仕切り１２と第１のコア片２１Ｂとが、図１２の寸法ＧＰ２，ＧＰ３が示すような空隙を介して対向していることが好ましい。ただし複数の仕切り１２とそれのＹ方向に隣接する第１のコア片２１Ｂとの間隔としてのコアギャップが複数形成されるが、その複数のコアギャップのうち少なくとも１つのコアギャップがＹ方向に互いに間隔をあけるように空隙を有していることが好ましい。複数のコアギャップのうちの一部は空隙を有さず、たとえば仕切り１２とそれに隣接する第１のコア片２１Ｂとが互いに接触していてもよい。
【００６８】
言い換えれば、ある仕切り１２とＹ方向に隣接する第１のコア片２１Ｂ（２１Ｃ）との間には必ずしも空隙が存在しなくてもよい。たとえば仕切り１２とそのＹ方向に隣接する第１のコア片２１Ｂとに挟まれる領域が複数存在する場合を考える。この場合に、当該複数の挟まれる領域のうちの一部にはＹ方向に互いに間隔をあけるような空隙が存在し、他の一部には当該空隙が存在せず仕切り１２と第１のコア片２１Ｂとが互いに接触する態様であってもよい。このようにすれば、仕切り１２を含む第１のケース１０の外形寸法により、複数の第１のコア片２１Ｂなどの間隔としてのコアギャップの総和が自動的に決まる。このため第１のケース１０内への各第１のコア片２１Ｂの導入時に特に注意を配らなくても、簡単にコアギャップの総和が決まり、リアクトル１０１〜１０３のインダクタンスなどの特性を決定することができる。このためリアクトル１０１〜１０３を容易に生産することができる。すなわちリアクトル１０１〜１０３の生産性を大幅に向上させることができる。
【００６９】
また本実施の形態によれば、上記のように生産性が向上されたリアクトル１０１〜１０３の電気的性能を高くすることができる。以下このことについて説明する。
【００７０】
一般的にリアクトルの主要な電気的性能であるインダクタンス値は、コイルの巻数、コアの材料の種類による透磁率、磁路の長さ、磁路の断面積、隣り合う１対のコア片の間のコアギャップの寸法により決まる。コイルの巻数は製造工程で生じるばらつきにより変化することはない。またコアの材料による透磁率についても材料メーカの仕様値が決められている。このためコイルの材料による透磁率は製造工程により大きく変化することを考慮する必要はない。ただし磁路の長さ、磁路の断面積、コアギャップの寸法については、リアクトルを構成する第１のケース１０内での各コア片の配置によって変化する。このためこれらのパラメータが変化することによりインダクタンス値に与える影響を考慮する必要がある。
【００７１】
図１１は実施の形態１の複数のコア片による閉磁路を通る磁束を示す概略平面図である。図１１を参照して、たとえばリアクトル１０１のコア片２０を通る磁束ＭＦは、第１のコア片２１すなわち第１のコア片２１Ａ，２１Ｂ，２１Ｃおよび第２のコア片２２からなる閉磁路を周回している。なお第１のコア片２１ＢはＹ方向負側から正側へ、第１のコア片２１Ｂ１，２１Ｂ２，２１Ｂ３の順に並んでいる。また第１のコア片２１ＣはＹ方向負側から正側へ、第１のコア片２１Ｃ１，２１Ｃ２，２１Ｃ３の順に並んでいる。第１のケース外枠部１１が樹脂材料により形成される場合、第１のケース外枠部１１の寸法精度は１％以下に規定することができる。このため第１のケース外枠部１１の内部にてコア片２０が本来配置されるべき位置から動いたとしても、閉磁路の長さおよび断面積の変化の割合は小さく、インダクタンス値に与える影響は小さい。
【００７２】
一方、コアギャップの寸法は、１か所あたり１ｍｍ以下と非常に小さくなる場合がある。このため第１のケース外枠部１１の内部にてコア片２０が本来配置されるべき位置から動くことによる変化量の割合が大きくなる。その結果、コアギャップの寸法が変化すれば、インダクタンス値に影響を与える可能性がある。
【００７３】
ただし本実施の形態では、たとえば図１２のようにコアギャップの寸法の方向、すなわち閉磁路の延びる方向にコア片２０が動いても、インダクタンス値の変化は生じない。図１２は、コア片の一部が図１１の状態から動いて、コアギャップが均等でなくなった状態を示す概略平面図である。図１２を参照して、たとえば第１のケース外枠部１１内で第１のコア片２１Ｂ１が本来の位置よりＹ方向負側へ、第１のコア片２１Ｂ２が本来の位置よりＹ方向正側へ、それぞれ移動した場合を考える。この場合、第１のコア片２１Ｂ１と第１のコア片２１Ａとのコアギャップの寸法ＧＰ１は本来の値よりも小さくなる。また、第１のコア片２１Ｂ１と第１のコア片２１Ｂ２とのコアギャップの寸法ＧＰ２は本来の値よりも大きくなる。また第１のコア片２１Ｂ２と第１のコア片２１Ｂ３とのコアギャップの寸法ＧＰ３は本来の値より小さくなる。一方、第１のコア片２１Ｂ３は動いていないため、第１のコア片２１Ｂ３とこれに隣接する第２のコア片２２とのコアギャップの寸法ＧＰ４は変化しない。
【００７４】
この場合、寸法ＧＰ１，ＧＰ３が小さくなった分だけ寸法ＧＰ２が大きくなっており、それぞれの隣り合う第１のコア片２１間のコアギャップの総和は変化しない。各第１のコア片２１間のコアギャップの総和がインダクタンス値に影響する。このため図１２のように第１のコア片２１Ｂ１，２１Ｂ２が移動しても、リアクトル１０１のインダクタンス値には影響しない。
【００７５】
以上より、図１２において個々の第１のコア片２１Ｂ１，２１Ｂ２，２１Ｂ３は、第１のケース外枠部１１内にてＹ方向に移動してもリアクトル１０１の機能上問題はない。つまり本実施の形態においては、仕切り１２を介して配置される複数の第１のコア片２１Ｂ，２１Ｃのうち一の隣り合う１対の第１のコア片の間隔は、他の隣り合う１対の第１のコア片の間隔と異なってもよい。上記で一の隣り合う１対の第１のコア片の間隔とは、たとえば第１のコア片２１Ｂ１と第１のコア片２１Ｂ２との間隔である。また上記で他の隣り合う１対の第１のコア片の間隔とは、たとえば第１のコア片２１Ｂ２と第１のコア片２１Ｂ３との間隔である。言い換えれば、図１２において、寸法ＧＰ２と寸法ＧＰ３とは異なっていてもよい。なおここでは、寸法が異なるとは、寸法値が１０％以上異なることを意味するものとする。また第１のコア片２１Ｂ，２１Ｃが仕切り１２に対して傾斜し、寸法値が変化するように配置される場合、当該寸法値とはその寸法の平均値（中央値）を意味するものとする。リアクトルには、複数の第１のコア片２１のうちＹ方向に隣り合う１対の第１のコア片２１に挟まれる領域が複数存在するとする。この場合、当該複数の挟まれる領域は、Ｙ方向の寸法がすべて異なっていてもよい。しかし当該複数の挟まれる領域のうち少なくとも１つのＹ方向の寸法が、他の当該挟まれる領域のＹ方向の寸法と異なっているという態様であってもよい。すなわちたとえば複数の挟まれる領域のうち１つのみが他とはＹ方向の寸法が異なり、他のすべての挟まれる領域のＹ方向の寸法がほぼ等しくてもよい。またたとえば複数の挟まれる領域のうち２つのみが他とはＹ方向の寸法が異なり、他のすべての挟まれる領域のＹ方向の寸法がほぼ等しくてもよい。
【００７６】
ただし、たとえば第１のコア片２１Ｂ１〜２１Ｂ３が図１２のＸ方向にずれるように移動し、Ｙ方向に関して隣り合う１対の第１のコア片２１同士が対向する部分の面積が変化する場合には、当該リアクトル１０１のインダクタンス値に影響する。このためたとえばインダクタンス値を誤差が±１０％以内となる範囲で管理したい場合には、目安としてコアギャップＧＰ１〜ＧＰ４の変化を１０％程度以下に収める必要がある。しかし上記のように、樹脂製の第１のケース外枠部１１であれば、第１のケース外枠部１１の最外形の寸法精度は１％以下に規定することができる。このためコアギャップＧＰ１〜ＧＰ４の変化も±１％以下となり、その変化量を１０％以下とすることは可能となる。したがって第１のケース外枠部１１の内部に第１のコア片２１が配置される限り、閉磁路の延在方向に交差する幅方向におけるコア片の位置ずれを考慮しても、基本的にはインダクタンス値に影響が及ばないように制御することができる。
【００７７】
さらにインダクタンス値の変化を小さくしたい場合には、第１のケース外枠部１１の外形寸法の精度、および各仕切り１２の間の寸法の精度を上げ、第１のコア片２１の動く余地を小さくすることが好ましい。このようにすれば、いっそう高い精度を得ることができる。
【００７８】
以上により、本実施の形態によれば、生産性が向上されたリアクトル１０１〜１０３の電気的性能を高くすることができる。
【００７９】
その他、本実施の形態によれば以下の作用効果も奏する。一般的に、ダストコアおよびフェライトコアは、粉状の材料がプレス機で成形された後、熱処理がなされることにより形成される。このとき、プレス機によりプレスされる面に加わる圧力を一定にする必要がある。このため、形成されるコアが大型化するほど、プレス能力が高いプレス機を使用する必要がある。また、成形された材料は熱処理時に収縮するため、形成されるコアが大型化するにしたがって寸法精度が低くなる。アモルファスコアおよびナノ結晶コアは、薄い帯状の材料が積み重ねられた後、熱処理がなされることにより形成される。これらもダストコアおよびフェライトコアと同様に、熱処理時に収縮する。このため、形成されるコアが大型化するにしたがって寸法精度が低くなる。
【００８０】
本実施の形態によれば、複数のコア片２０としての第１のコア片２１Ａ〜２１Ｃおよび第２のコア片２２によりコアの全体が構成される。このため、一体型を用いて大型のコアを形成する場合に比べて、形成されるコア片の寸法が小さくなる。このためリアクトル全体の製造が容易であり、製造時の寸法ばらつきを小さくすることができる。また大型のコア材料は生産できるメーカが限られている。その点、本実施の形態によれば小さい寸法のコア片が複数形成されるため、部品調達をより安定させることができる。
【００８１】
次に、従来からの一般的なリアクトルでは、２つのコア片の間に樹脂または絶縁紙などの非磁性体によるスペーサが配置される。スペーサによりコアギャップの寸法が管理される。本実施の形態においては、各コア片の間のコアギャップが管理される代わりに、各コア片の間に仕切り１２が配置された第１のケース１０により、コア片２０全体のコアギャップの総和が管理される。このため各コア片の間にスペーサを配置する必要がなくなる。
【００８２】
コアギャップは複数のコア片による閉磁路のなかの１か所のみに設ける必要はない。コアギャップは、その寸法が設計値となるように、コア片２０による閉磁路のなかに複数設けられてもよい。このコアギャップは、コア片２０に用いられる材料により、必要となる寸法の数値範囲が異なる。たとえばフェライトコアの場合は、その比透磁率が１５００以上４０００以下程度となる。このため閉磁路内の複数のコアギャップの寸法の合計値は１ｍｍ以上２０ｍｍ以下の範囲内で、かつ所望の電気的特性が得られるように、コア片２０が配置されることが好ましい。
【００８３】
閉磁路に含まれるコア片の数が多く、形成されるコアギャップの数が多いほど、個々のコアギャップの寸法が小さくなる。このためそのような場合には、コアギャップから漏れる磁束が小さくなる。またコアギャップに隣接して配置されているコイルに鎖交することで発生するコイルの渦電流損が低減できる。これらにより、リアクトル１０１全体の損失を低減することができる。
【００８４】
従来のようにスペーサまたは接着剤によりコアギャップを管理する場合には、コア片の数が増えるにしたがって各コア片を接合する作業が増えて生産性が悪くなる。しかし本実施の形態においてはコア片２０はすべて第１のケース収納部１１Ａの内部に配置して一括して保持される。このためコア片２０を構成する第１のコア片２１などの数が増えても生産性は低下しない。
【００８５】
また、一般的にフェライトなどからなるコア片を使用する際には、元となる大型のコアが切断され、切断された断面が研磨されたコア片が準備される。しかし本実施の形態によれば、コア片２０は第１のケース収納部１１Ａの内部に配置される。コアギャップの寸法は第１のケース収納部１１Ａの内部の仕切り１２により管理される。このためコアの切断面の平面度を高くする必要はない。したがってコア片２０の形成のために切断された面を研磨する必要はない。フェライトコア自体は安価な素材であるが、一般的なコア片の材料は高価になる。切断工程およびその後の研磨工程などを行なうことによる作業費が必要になるためである。しかし本実施の形態によれば、切断後のコア片２０の断面の研磨が不要となる。これによりコア片の加工時間を短縮することができ、より安価にコア片２０を準備することができる。
【００８６】
実施の形態２．
図１３は実施の形態２に係るリアクトルの第１のケースの特徴部分を示す概略拡大斜視図である。図１３を参照して、実施の形態２のリアクトルは、基本的に実施の形態１のリアクトル１０１〜１０３と同様の構成を有する。このため実施の形態１と同一の構成要素には同一の符号を付しその説明を繰り返さない。ただし図１３に示すように、本実施の形態では、第１のケース外枠部１１の内部には複数のリブ１１Ｅが形成される。
【００８７】
具体的には、リブ１１Ｅは第１のケース外枠部１１の内壁面、特に内側の側面上に、たとえばＹ方向にある、互いに間隔をあけて複数取り付けられる薄く小さい部材である。複数のリブ１１ＥのうちたとえばＹ方向に関して互いに隣り合う１対のリブ１１Ｅの間に挟まれる溝状の空間部分に、薄い平板状の仕切り１２が挿入される。これにより第１のケース外枠部１１の内部でＺ方向に沿って延びるように、仕切り１２が取り付けられる。つまりリブ１１Ｅにより、仕切り１２を立てるように設置することができる。当該溝状の空間部分は複数設けられるため、仕切り１２はリブ１１Ｅの形成された範囲内で、第１のケース外枠部１１の内部の任意の位置に配置可能である。仕切り１２はリブ１１Ｅに挟まれた複数の溝状の空間部分の領域内で任意に取り外しすることができるためである。
【００８８】
なおリブ１１Ｅは、たとえばＵ字の平面形状を有する第１のケース外枠部１１の２つのＹ方向に沿って延びる部分のそれぞれのＸ方向に関する一方、たとえば図１３の左側の内側面のみに形成されてもよいし、図１３の右側の内側面のみに形成されてもよい。ただしリブ１１Ｅは、当該２つのＹ方向に沿って延びる部分のそれぞれのＸ方向に関する左側と右側との双方に形成されてもよい。
【００８９】
上記のリブ１１Ｅにより、仕切り１２の配置される位置を、第１のケース外枠部１１の内部にて変更することができる。つまり第１のケース外枠部１１の内部の状態の汎用性を高くすることができる。これにより、第１のコア片２１の大きさが変更されても仕切り１２の設置位置を変えることにより第１のコア片２１を第１のケース外枠部１１の内部に収納する自由度が高められる。
【００９０】
実施の形態３．
図１４は実施の形態３に係るリアクトルの第１のケースの特徴部分を示す概略拡大斜視図である。図１４を参照して、実施の形態３のリアクトルは、基本的に実施の形態１のリアクトル１０１〜１０３と同様の構成を有する。このため実施の形態１と同一の構成要素には同一の符号を付しその説明を繰り返さない。本実施の形態では、第１のケース１０は、他の実施の形態と同様に、第１のケース外枠部１１と、仕切り１２とを含む。第１のケース外枠部１１は複数の第１のコア片２１を収納可能である。仕切り１２は第１のケース外枠部１１の内部に配置される。仕切り１２は、仕切り１２としての第１のケース仕切り部１２Ａが間隔を隔てて複数、仕切りベース部１２Ｂに取り付けられた構成を有している。すなわち仕切り１２は、複数の第１のケース仕切り部１２Ａと、仕切りベース部１２Ｂとにより構成される。仕切り１２においては複数の第１のケース仕切り部１２Ａが間隔を隔てて配置されている。仕切り１２においては、間隔をあけて配置された複数の第１のケース仕切り部１２Ａが仕切りベース部１２Ｂに取り付けられ仕切りベース部１２Ｂと一体になっている。仕切りベース部１２Ｂと、これに取り付けられ一体となった複数の第１のケース仕切り部１２Ａとからなる仕切り１２は、第１のケース外枠部１１に対して脱着可能となっている。
【００９１】
上記の構成を有することにより、本実施の形態においても、実施の形態２と同様に、仕切り１２を第１のケース外枠部１１に対して取り外しが可能となる。このため、たとえば第１のコア片２１が小片である場合には仕切り１２を第１のケース外枠部１１内に収めた上で第１のコア片２１を収め、第１のコア片２１が大片である場合には仕切り１２を収めずに第１のケース外枠部１１内に直接第１のコア片２１を収めることができる。
【００９２】
実施の形態４．
図１５は実施の形態４に係るリアクトルの第１のケースの特徴部分、および完成品を示す概略斜視図である。図１５を参照して、本実施の形態では、平面視にてＵ字形状を有する第１のケース１０としての第１のケース外枠部１１の、２つのＹ方向に沿って延びる部分それぞれのＹ方向正側、すなわちＸ方向に沿って延びる部分側と反対側の端部１１Ｆの構成において実施の形態１と異なっている。
【００９３】
具体的には、本実施の形態では、上記の端部１１Ｆ、すなわち最もＹ方向正側の１対の仕切り１２（第１のケース仕切り部１２Ａ）より更にＹ方向正側の領域において、当該２つの部分の互いに対向する内側の側面が欠けている。また当該２つの部分の最もＹ方向正側の第１のケース外枠部１１の端面が欠けている。これにより、第１のケース外枠部１１は、当該１対の端部１１Ｆの部分のそれぞれに、第２のコア片２２の一部、すなわち第２のコア片２２のＸ方向の一方および他方の端部のそれぞれが収納される態様となる。言い換えれば、本実施の形態においては、第１のケース１０は、第２のコア片２２の少なくとも一部を収納可能な形状を有している。
【００９４】
実施の形態４のリアクトルは、上記以外は基本的に実施の形態１〜３のリアクトルと同様の構成を有する。以下実施の形態１〜３と重複するが、要点を再度記載する。実施の形態４のリアクトル４０１は、第１のケース１０と、コア片２０と、コイル３０とを主に有している。第１のケース１０は、リアクトル１０１のコア片２０により形成される閉ループ、または閉ループ状の閉磁路の一部としての形状を有している。コア片２０は、複数の第１のコア片２１と、第２のコア片２２とを有している。複数の第１のコア片２１は、第１のケース１０内に配置される。第２のコア片２２は、第１のケース１０のＹ方向正側の端部１１Ｆに、たとえばＹ方向正側から図中点線矢印のように入り込むことにより設置される。これは第１のケース外枠部１１は、端部１１Ｆにおいて最もＹ方向正側の端面が欠けており、その部分から第２のコア片２２を出し入れ可能であることに基づく。
【００９５】
２つの端部１１Ｆは第１のケース外枠部１１の２つのＹ方向に沿って延びる部分のＹ方向正側に形成される。これら２つの端部１１Ｆのうち一方に第２のコア片２２の一方の端部が収納される。これら２つの端部１１Ｆのうち他方に第２のコア片２２の他方の端部が収納される。第２のコア片２２は、Ｘ方向に延びるように配置され、その一方および他方の端部が第１のケース外枠部１１の１対の端部１１Ｆのそれぞれに収納される態様となる。これにより、第２のコア片２２は、第１のケース１０内すなわち第１のケース外枠部１１に収納される複数の第１のコア片２１Ａ，２１Ｂ，２１Ｃと併せて、概ね矩形状である閉ループ状の閉磁路となるように配置される。なお上記の概ね矩形状である閉ループ状とは、たとえば複数のうちＹ方向に隣り合う１対の第１のコア片２１Ｂの間の空隙、およびこれらの間のＸ方向の位置ずれなどを無視すれば平面視にて概ね矩形状の閉ループに見えることを意味する。
【００９６】
コイル３０は、閉磁路としてのたとえば図１に示すコア片２０の一部に巻回される。より具体的には、第１のケース外枠部１１の内部に配置される第１のコア片２１ＢのＹ方向に沿って延びる部分に、コイル３０が巻回されている。
【００９７】
第１のケース１０の外枠としての第１のケース外枠部１１の内部には、複数の第１のコア片２１と、複数の第１のコア片２１のうち隣り合う１対の第１のコア片２１の間を区画する仕切り１２とが配置される。より具体的には、第１のコア片２１に含まれる第１のコア片２１Ａは、第１のケース収納部１１Ａの内部のうち、第１のケース１０としての第１のケース外枠部１１がＸ方向に沿って延びる部分に収まる。複数の第１のコア片２１Ｂ，２１Ｃは、第１のケース収納部１１Ａの内部のうち、第１のケース１０としての第１のケース外枠部１１がＹ方向に沿って延びる部分に収まる。仕切り１２は、第１のケース外枠部１１すなわち第１のケース収納部１１Ａの内部で、複数の第１のコア片２１Ａ，２１Ｂ，２１Ｃのうち隣り合う１対の第１のコア片２１Ａ，２１Ｂ，２１Ｃの間を区画する。
【００９８】
第１のケース外枠部１１は、複数の第１のコア片２１Ａ，２１Ｂ，２１Ｃを収納可能な第１のケース外枠部１１の部分である第１のケース収納部１１Ａと、第１のケース収納部１１Ａの内部の空間を覆う第１のケース蓋部１１Ｂとを含む。図１５においては、第１のケース蓋部１１Ｂは、第１のケース収納部１１Ａのうち端部１１Ｆを除く部分のみを覆うように配置されている。言い換えれば図１５においては、第１のケース蓋部１１Ｂは、端部１１Ｆを含む第１のケース収納部１１Ａの最もＹ方向正側に配置される第２のコア片２２を覆わないように配置されている。ただし本実施の形態においては、第１のケース蓋部１１Ｂが、端部１１Ｆおよびそこを含む領域に配置される第２のコア片２２をも覆うように、たとえば矩形の平面形状を有するものであってもよい。
【００９９】
本実施の形態のリアクトル４０１においても、第１のケース収納部１１Ａと、第１のケース蓋部１１Ｂとが、図５中の点線で囲まれた領域に示すような、いわゆるスナップフィット構造１３と呼ばれる嵌合機構により嵌合されていることが好ましい。
【０１００】
本実施の形態のリアクトル４０１において、上記仕切り１２により区画される隣り合う１対の第１のコア片２１Ｂは、たとえば図１２の寸法ＧＰ２，ＧＰ３が示すような空隙を介して対向していることが好ましい。ただし複数の仕切り１２とそれのＹ方向に隣接する第１のコア片２１Ｂとの間隔としてのコアギャップが複数形成されるが、その複数のコアギャップのうち少なくとも１つのコアギャップがＹ方向に互いに間隔をあけるように空隙を有していることが好ましい。
【０１０１】
本実施の形態のリアクトル４０１において、たとえば図１２における、仕切り１２を介して配置される複数の第１のコア片２１Ｂ，２１Ｃのうち一の隣り合う１対の第１のコア片の間隔は、他の隣り合う１対の第１のコア片の間隔と異なってもよい。上記で一の隣り合う１対の第１のコア片の間隔とは、たとえば第１のコア片２１Ｂ１と第１のコア片２１Ｂ２との間隔である。また上記で他の隣り合う１対の第１のコア片の間隔とは、たとえば第１のコア片２１Ｂ２と第１のコア片２１Ｂ３との間隔である。
【０１０２】
本実施の形態においても、たとえば図１３に示すように、第１のケース外枠部１１の内部には複数のリブ１１Ｅが形成される。リブ１１Ｅは第１のケース外枠部１１の内壁面、特に内側の側面上に、たとえばＹ方向について互いに間隔をあけて複数取り付けられる薄く小さい部材である。複数のリブ１１ＥのうちたとえばＹ方向に関して互いに隣り合う１対のリブ１１Ｅの間に挟まれる溝状の空間部分に、薄い平板状の仕切り１２が挿入される。仕切り１２はリブ１１Ｅに挟まれた複数の溝状の空間部分の領域内で任意に取り外し可能に配置される。
【０１０３】
本実施の形態においても、第１のケース１０は、他の実施の形態と同様に、第１のケース外枠部１１と、仕切り１２とを含む。第１のケース外枠部１１は複数の第１のコア片２１を収納可能である。仕切り１２は第１のケース外枠部１１の内部に配置される。仕切り１２においては、たとえば図１４に示すように間隔をあけて配置された複数の第１のケース仕切り部１２Ａが仕切りベース部１２Ｂに取り付けられ仕切りベース部１２Ｂと一体になっている。仕切りベース部１２Ｂと、これに取り付けられ一体となった複数の第１のケース仕切り部１２Ａとからなる仕切り１２は、第１のケース外枠部１１に対して脱着可能となっている。
【０１０４】
本実施の形態においても、たとえば図９のように、第１のケース外枠部１１の内部には、緩衝材４３および接着剤４４の少なくともいずれか一方が配置される。第１のケース外枠部１１と、複数の第１のコア片２１とは、緩衝材４３および接着剤４４の少なくともいずれか一方により接合される。したがって、第１のケース外枠部１１の内部には、緩衝材４３および接着剤４４の双方が配置されてもよい。また第１のケース外枠部１１と、複数の第１のコア片２１とは、緩衝材４３および接着剤４４の双方により接合されてもよい。
【０１０５】
次に、本実施の形態の作用効果について説明する。上記のように、本実施の形態のリアクトル４０１は、第１のケース１０と、複数の第１のコア片２１と、第２のコア片２２と、コイル３０とを備えている。第１のケース１０は、閉ループの一部としての形状を有する。複数の第１のコア片２１は、第１のケース１０内に配置される。第２のコア片２２は、第１のケース１０内の複数の第１のコア片２１と併せて閉ループ状の閉磁路となるように配置される。コイル３０は閉磁路に巻回される。第１のケース１０の外枠としての第１のケース外枠部１１の内部には、複数の第１のコア片２１Ｂ（２１Ｃ）と、複数の第１のコア片２１Ｂ（２１Ｃ）のうち隣り合う１対の第１のコア片２１Ｂ（２１Ｃ）の間を区画する仕切り１２とが配置される。第１のケース１０は、第２のコア片２２の少なくとも一部を収納可能な形状を有する。第１のケース外枠部１１は、複数の第１のコア片２１を収納可能な第１のケース外枠部１１の部分である第１のケース収納部１１Ａと、第１のケース収納部１１Ａの内部の空間を覆う第１のケース蓋部１１Ｂとを含む。
【０１０６】
本実施の形態においても、第１のケース外枠部１１の外形寸法を規定し、その中に第１のコア片２１および第２のコア片２２を収納する。これだけで、各複数の第１のコア片２１間および第１のコア片２１と第２のコア片２２との間のコアギャップの総和の値を管理することができる。このため各第１のコア片２１間などのコアギャップを精確に管理する必要がない。また複雑な機構部品を用いて各第１のコア片２１などを固定する必要もない。ただ仕切り１２を有する第１のケース外枠部１１を用いるだけで、リアクトル４０１を容易に生産することができる。すなわちリアクトル４０１の生産性を大幅に向上させることができる。
【０１０７】
上記のように本実施の形態では、第１のケース１０が、第２のコア片２２の少なくとも一部を収納可能な形状を有している。このような構成を有することにより、本実施の形態においては、第２のコア片２２が、Ｙ方向正側から図１５の矢印に示すように第１のケース外枠部１１の１対の端部１１Ｆに収納される。このため第２のコア片２２の第１のケース外枠部１１に対する固定をより簡易にすることができる。特にＸ方向については第２のコア片２２の延びる方向の端部が第１のケース外枠部１１の端部１１Ｆからの干渉を受けるため、第２のコア片２２のＸ方向についての固定がより確実になされる。これにより、第２のコア片２２の第１のケース外枠部１１に対する固定強度を向上することができる。
【０１０８】
その他の作用効果は、実施の形態１と同様であるが、要点を再度記載する。本実施の形態のリアクトル４０１は、仕切り１２により区画される隣り合う１対の第１のコア片２１Ｂ（２１Ｃ）が、空隙を介して対向していることが好ましい。このようにすれば、仕切り１２を含む第１のケース１０の外形寸法により、複数の第１のコア片２１Ｂなどの間隔としてのコアギャップの総和が自動的に決まる。このため第１のケース１０内への各第１のコア片２１Ｂの導入時に特に注意を配らなくても、簡単にコアギャップの総和が決まり、リアクトル４０１のインダクタンスなどの特性を決定することができる。このためリアクトル４０１を容易に生産することができる。
【０１０９】
本実施の形態のリアクトル４０１は、第１のケース外枠部１１の内部には互いに間隔をあけて複数のリブ１１Ｅが形成される。複数のリブ１１Ｅのうち互いに隣り合う１対のリブ１１Ｅの間に、仕切り１２が取り外し可能に配置される。このような構成であってもよい。このようにすれば、リブ１１Ｅにより、仕切り１２の配置される位置を、第１のケース外枠部１１の内部にて変更することができる。つまり第１のケース外枠部１１の内部の状態の汎用性を高くすることができる。これにより、第１のコア片２１の大きさが変更されても仕切り１２の設置位置を変えることにより第１のコア片２１を第１のケース外枠部１１の内部に収納する自由度が高められる。
【０１１０】
本実施の形態のリアクトル４０１は、第１のケース１０は、複数の第１のコア片２１を収納可能な第１のケース外枠部１１と、第１のケース外枠部１１の内部に配置され第１のケース外枠部１１に対して脱着可能な仕切り１２とを含む。このような構成であってもよい。たとえば図１４に示すように仕切り１２は、複数の第１のケース仕切り部１２Ａが間隔を隔てて一体となっている。これにより実施の形態２，３と同様に、仕切り１２を第１のケース外枠部１１に対して取り外しが可能となる。このため、たとえば第１のコア片２１が小片である場合には仕切り１２を第１のケース外枠部１１内に収めた上で第１のコア片２１を収め、第１のコア片２１が大片である場合には仕切り１２を収めずに第１のケース外枠部１１内に直接第１のコア片２１を収めることができる。
【０１１１】
本実施の形態のリアクトル４０１においても、第１のケース収納部１１Ａと、第１のケース蓋部１１Ｂとは、嵌合機構としてのたとえばスナップフィット構造１３により嵌合されていることが好ましい。これによりリアクトル１０２では、第１のケース収納部１１Ａと第１のケース蓋部１１Ｂとの嵌合強度が、リアクトル１０１よりも高められる。またこれにより、リアクトル１０２の耐振動性を向上することができる。
【０１１２】
本実施の形態のリアクトル４０１においても、第１のケース外枠部１１の内部には、緩衝材４３および接着剤４４の少なくともいずれか一方が配置される。第１のケース外枠部１１と、複数の第１のコア片２１とは、緩衝材４３および接着剤４４の少なくともいずれか一方により接合される。このような構成であってもよい。これにより、第１のケース外枠部１１と第１のコア片２１とを充分な強度で接合できる。
【０１１３】
本実施の形態のリアクトル４０１においても、たとえば図１２のように、仕切り１２を介して配置される複数の第１のコア片２１Ｂ，２１Ｃのうち一の隣り合う１対の第１のコア片２１Ｂ，２１Ｃの間隔である寸法ＧＰ２は、他の隣り合う１対の第１のコア片２１Ｂ，２１Ｃの間隔である寸法ＧＰ３と異なってもよい。このようにしてもリアクトル４０１の機能上問題はない。
【０１１４】
実施の形態５．
図１６は実施の形態５に係るリアクトルに含まれる各部材の配置態様を示す概略斜視図である。ただし図１６では、第１のケース外枠部１１については第１のケース蓋部１１Ｂを閉じたときの外観態様が示される。図１６を参照して、実施の形態５のリアクトルは、基本的に実施の形態１のリアクトル１０１〜１０３および実施の形態４のリアクトル４０１と同様の構成を有する。このため実施の形態１，４と同一の構成要素には同一の符号を付しその説明を繰り返さない。ただし本実施の形態では、ボビン部４０をさらに備える点において実施の形態１，４と異なっている。
【０１１５】
具体的には、本実施の形態のリアクトルは、第１のケース１０としての第１のケース外枠部１１の外側に配置されるボビン部４０をさらに備えている。コイル３０はボビン部４０の外側に巻回される。
【０１１６】
本実施の形態においては、平面視にてＵ字形状の第１のケース外枠部１１の２つのＹ方向に沿って延びる部分のそれぞれを外側から包みそこへ挿入するように、ボビン部４０が配置される。したがってボビン部４０はＹ方向に沿って延びる。ボビン部４０のＹ方向に延びる部分の外側にコイル３０が周回される。周回されたコイル３０は、ボビン部４０のＹ方向に延びる部分に固定される。またボビン部４０に周回されたコイル３０は、一般公知の端子に接続されている。
【０１１７】
次に実施の形態１，４などに対する本実施の形態の作用効果について説明する。
実施の形態１，４においては、巻回されたコイル３０は線形の太い電線または平角線など、その断面の形状が固定されている。それが第１のケース外枠部１１の外側を周回するように挿入される。しかしこの方法は、たとえば細い電線が巻回されてなるコイル３０を用いる場合には生産性が低下する場合がある。細い電線は螺旋状に巻回しても形状が安定しにくい。また実施の形態１，４においては第１のケース収納部１１Ａに第１のケース蓋部１１Ｂを嵌合させた後にそこへ電線が巻回されるため工程が煩雑である。以上により実施の形態１においては生産性が低下する場合がある。
【０１１８】
しかし本実施の形態では、このような形状が安定しにくい細い電線などからなるコイル３０がボビン部４０の表面上に巻回され固定されたものが、第１のケース１０の外側に配置されるように第１のケース１０に挿入される構成を有している。言い換えれば、本実施の形態では、事前にボビン部４０の表面上に配線が巻回され固定される。これにより、細い配線およびターン数の多い配線であっても、第１のケース１０に挿入する前にその形状がボビン部４０の表面上にて固定されている。このため電線などの形状を安定させるために煩雑な工程を経る必要がなくなる。以上により、本実施の形態によれば、リアクトルの特にコイル３０の部分の生産効率が向上できる。
【０１１９】
なおボビン部４０は非磁性体材料により構成される。ただしボビン部４０の構成材料は、第１のケース外枠部１１などと同様の樹脂材料に限られない。ボビン部４０は、必要に応じて第１のケース１０よりも伸縮性の高い素材が用いられてもよい。ここで第１のケース１０よりも伸縮性の高い素材とは、シリコン素材のようなものである。このようにすれば、ボビン部４０は第１のケース１０の外側に挿入される。これによりボビン部４０は、第１のケース収納部１１Ａと第１のケース蓋部１１Ｂとを挟んで押さえることで固定することができる。またこれによりボビン部４０は、第１のケース収納部１１Ａおよび第１のケース蓋部１１Ｂを含むリアクトル全体の耐振動性を向上することができる。またこれによりボビン部４０は、第１のケース収納部１１Ａと第１のケース蓋部１１Ｂとの嵌合構造を簡素化することができる。
【０１２０】
さらに、ボビン部４０を用いることにより、コイル３０と第１のケース１０との位置関係を容易に決めることができる。またコイル３０のインダクタンス値を安定させることができる。
【０１２１】
実施の形態６．
図１７は実施の形態６に係るリアクトルに含まれる各部材の配置態様を示す概略斜視図である。図１８は実施の形態６に係るリアクトルの完成品の外観態様を示す概略斜視図である。図１７および図１８を参照して、実施の形態６に係るリアクトル６０１は、実施の形態１に係るリアクトル１０１および実施の形態４のリアクトル４０１と大筋で同様の構成を有している。このため以下においてリアクトル１０１，４０１と同一の構成要素には同一の符号を付しその説明を繰り返さない。ただし本実施の形態では、第１のケース外枠部１１には、これを貫通する開口部１４が形成されている。この点においては本実施の形態は実施の形態１，４と異なっている。
【０１２２】
開口部１４は、第１のケース収納部１１Ａにおいては以下の位置に形成されている。開口部１４は、第１のケース収納部１１ＡのＺ方向最下面のうち、複数の仕切り１２のそれぞれにより区画された各領域の平面視における中央部に形成されている。すなわち開口部１４は矩形状を有することが好ましい。ただし複数の仕切り１２のそれぞれにより区画された各領域が正方形である場合には、開口部１４も正方形であってもよい。以上より、開口部１４は、複数の仕切り１２のそれぞれにより区画された各領域の各辺およびこれに隣接する縁部を除く中央の領域に形成される。
【０１２３】
開口部１４は、第１のケース蓋部１１Ｂにおいては以下の位置に形成されている。開口部１４は、第１のケース蓋部１１Ｂにおいては、これが第１のケース収納部１１Ａの内壁面を外部に露出する部分を覆うように嵌合されたときに、第１のケース収納部１１Ａの底面の開口部１４と平面的に重なるように形成される。
【０１２４】
なお図１７においては、第１のケース収納部１１Ａの側面に相当する領域には開口部１４は形成されていない。しかしこの形状に限るものではない。必要に応じて第１のケース収納部１１Ａの仕切り１２に区切られた各領域の、互いに対向する１組の側面に相当する領域のそれぞれのたとえば平面視での中央部などの一部の領域に、開口部１４が形成されてもよい。
【０１２５】
以上により、本実施の形態においては、第１のケース外枠部１１には、複数の第１のコア片２１Ｂ，２１Ｃのそれぞれを介して互いに対向する少なくとも１組の面のそれぞれに開口部１４が形成されている。
【０１２６】
図１９は図１８のＸＩＸ−ＸＩＸ線に沿う部分の概略断面図である。図１９を参照して、上記のような開口部１４を有するリアクトル６０１が、冷却用のファンなどによる冷却風ＷＤが当たりやすい位置に実装される場合を考える。このとき、開口部１４が形成されることにより、第１のケース１０内の第１のコア片２１の表面に冷却風ＷＤが直接当たる。これにより、第１のコア片２１などを効率的に冷却することができる。
【０１２７】
仮に第１のコア片２１に直接冷却風ＷＤ（図１９参照）が当たらない場合であっても、以下のような効果を奏する。図２０は図１８のＸＸ−ＸＸ線に沿う部分の概略断面図である。図２０を参照して、ここでは第１のコア片２１が、熱伝導部材５１となる熱伝導シートまたは熱伝導樹脂を介して、制御盤の筐体５２または放熱器のベース面などに接触する構成を有している。筐体５２は一般公知の基板５３に取り付けられている。このような構成を有するため、たとえ第１のコア片２１の表面に冷却風ＷＤが直接当たらない場合であっても、第１のコア片２１で発した熱は、図２０中に矢印で示した熱伝導経路ＨＴのように放熱される。このため第１のコア片２１が効率的に冷却できる。
【０１２８】
図２０においては、第１のコア片２１のうちの第１のコア片２１Ａ，２１Ｂ２にはコイル３０が巻回されていない。第１のコア片２１のうち第１のコア片２１Ｂ１，２１Ｂ３にコイル３０が巻回されている。このようにコイル３０が巻回されない第１のコア片２１の領域が、第１のコア片２１ＢのＹ方向の中央部の第１のコア片２１Ｂ２に配置される。これにより温度が高くなりやすいＹ方向の中央部にて、コイル３０による昇温が抑制され、第１のコア片２１Ｂ２の冷却が可能になっている。
【０１２９】
その他、第１のケース外枠部１１に開口部１４が形成されることにより、以下の効果も奏する。仮にリアクトル６０１の電気的特性が通常と異なるとき、開口部１４により第１のケース外枠部１１の内部の第１のコア片２１の表面の状態を、第１のケース外枠部１１の第１のケース蓋部１１Ｂを開けることなく確認することができる。すなわち、第１のコア片２１の割れの有無等を容易に確認することができる。
【０１３０】
実施の形態７．
図２１は実施の形態７に係るリアクトルに含まれる各部材の配置態様を示す概略斜視図である。図２１を参照して、実施の形態７に係るリアクトル７０１は、実施の形態１に係るリアクトル１０１および実施の形態４に係るリアクトル４０１と大筋で同様の構成を有している。このため以下においてリアクトル１０１，４０１と同一の構成要素には同一の符号を付しその説明を繰り返さない。ただし本実施の形態では、第２のコア片２２を収納する第２のケース１５を有する点において、実施の形態１，４と構成上異なっている。
【０１３１】
すなわちリアクトル７０１においては、閉ループの他の一部としての形状を有する第２のケース１５を備えている。閉ループの他の一部としての形状とは、たとえば第１のケース１０のＵ字形状を構成する２つのＹ方向に延びる部分の端部同士を繋ぐ直線状の形状である。なお第２のケース１５としての第２のケース外枠部１６は、第２のケース収納部１６Ａと、第２のケース蓋部１６Ｂとを有している。第２のケース収納部１６Ａは平面視において直線状である点において、平面視においてＵ字形状である第１のケース収納部１１Ａとは異なるが、他の点は基本的に第１のケース収納部１１Ａと同様である。また第２のケース蓋部１６Ｂは平面視において直線状である点において、平面視においてＵ字形状である第１のケース蓋部１１Ｂとは異なるが、他の点は基本的に第１のケース蓋部１１Ｂと同様である。
【０１３２】
リアクトル１０１における第２のコア片２２は、複数の第１のコア片２１と併せて閉ループ状の閉磁路となるように配置される。これと同様に、リアクトル７０１においては、第２のコア片２２は第２のケース１５内に配置される。これにより第２のコア片２２は、複数の第１のコア片２１と併せて閉ループ状の閉磁路となるように配置される。
【０１３３】
以上のように、本実施の形態のリアクトル７０１においては、第１のコア片２１が第１のケース１０に収納されることに加えて、第２のコア片２２も第２のケース１５に収納される。このため第２のコア片２２の材料を含み、コア片２０の飛散を完全に防止することができる。第２のコア片２２が露出しなくなるためである。また本実施の形態では、第２のコア片２２が樹脂製の第２のケース１５の内部に保持される。これにより、リアクトル７０１の通電時に発生する第２のコア片２２の磁歪による騒音が抑制できる。
【０１３４】
実施の形態８．
図２２は実施の形態８に係るリアクトルに含まれる各部材の配置態様を示す概略斜視図である。図２３は実施の形態８に係るリアクトルの完成品の外観態様を示す概略斜視図である。図２２および図２３を参照して、実施の形態８に係るリアクトル８０１は、実施の形態７に係るリアクトル７０１と大筋で同様の構成を有している。このため以下においてリアクトル７０１と同一の構成要素には同一の符号を付しその説明を繰り返さない。ただし本実施の形態では、第２のケース１５としての第２のケース外枠部１６が、第１のケース１０としての第１のケース外枠部１１と同様のＵ字状の平面形状を有している。これに伴い、図面での明記はないが、第２のケース外枠部１６の内部のコア片２０の形状および態様が、第１のケース外枠部１１の内部のコア片２０の形状および態様と同様である。
【０１３５】
図２４は実施の形態８におけるリアクトルの、第１のケースと第２のケースとの接合方法の第１例を示す概略図である。図２５は実施の形態８におけるリアクトルの、第１のケースと第２のケースとの接合方法の第２例を示す概略図である。図２４を参照して、第１のケース１０と第２のケース１５とは、接着剤４４で固定されてもよい。あるいは図２５を参照して、第１のケース１０と第２のケース１５とは、スナップフィット構造１３で固定されてもよい。
【０１３６】
実施の形態９．
図２６は実施の形態９の第１例に係るリアクトルの完成品の一部分の概略断面図である。図２６を参照して、実施の形態９の第１例に係るリアクトルは、基本的に実施の形態１，４のリアクトルと同様の構成を有する。このため実施の形態１，４と同一の構成要素には同一の符号を付しその説明を繰り返さない。ただし本実施の形態では、仕切り１２の構成において実施の形態１，４と異なっている。
【０１３７】
具体的には、図２６のリアクトル９０１においては、実施の形態３など既述の実施の形態と同様に、第１のケース１０は、第１のケース外枠部１１と、仕切り１２とを含む。第１のケース外枠部１１は複数の第１のコア片２１を収納可能である。仕切り１２は第１のケース外枠部１１の内部に配置される。仕切り１２においては、間隔をあけて配置された複数の第１のケース仕切り部１２Ａが仕切りベース部１２Ｂに取り付けられ、仕切りベース部１２Ｂと一体になっている。仕切り１２は、第１のケース外枠部１１に対して脱着可能となっている。第１のケース蓋部１１Ｂには、仕切り１２としての第２のケース仕切り部１２Ｃが、第１のケース蓋部１１Ｂと一体となるように形成されている。特にリアクトル９０１においては、第１のケース収納部１１Ａに第１のケース仕切り部１２Ａが、第１のケース蓋部１１Ｂに第２のケース仕切り部１２Ｃが、形成されている。言い換えればリアクトル９０１においては、ケース仕切り部は、第１のケース収納部１１Ａと第１のケース蓋部１１Ｂとの双方に形成されている。第１のケース仕切り部１２Ａは第１のケース収納部１１Ａと一体となるように形成された第１部分である。第２のケース仕切り部１２Ｃは第１のケース蓋部１１Ｂと一体となるように形成された第２部分である。このようにすれば、上記と同様に、第１のケース収納部１１Ａおよび第１のケース蓋部１１Ｂのそれぞれと一体で仕切り１２を形成することができる。このため仕切り１２としての第１のケース仕切り部１２Ａと第１のケース収納部１１Ａとを同一工程で形成できる。また仕切り１２としての第２のケース仕切り部１２Ｃと第１のケース蓋部１１Ｂとを同一工程で形成できる。さらに、ケース仕切り部が第１のケース収納部１１Ａと第１のケース蓋部１１Ｂとの双方に一体に形成される場合においても、これらすべてを同一工程で形成できるため、工程を簡略化できる。
【０１３８】
図２６においては、Ｙ方向に関して互いに隣り合う１対の第１のコア片２１の間に挟まれる領域に、第１のケース仕切り部１２Ａと第２のケース仕切り部１２Ｃとの双方が配置される。ここで、第１のケース収納部１１Ａと一体となる第１のケース仕切り部１２Ａの、第１のケース収納部１１Ａと一体となる側すなわちＺ方向下側と反対側のＺ方向上側の端部である仕切り端部１２Ｅ１を考える。また第１のケース蓋部１１Ｂと一体となる第２のケース仕切り部１２Ｃの、第１のケース蓋部１１Ｂと一体となる側すなわちＺ方向上側と反対側のＺ方向下側の端部である仕切り端部１２Ｅ２を考える。このとき、仕切り端部１２Ｅ１と仕切り端部１２Ｅ２とは、Ｚ方向に関して互いに対向するように配置される。仕切り端部１２Ｅ１と仕切り端部１２Ｅ２とは互いに接触してもよい。しかし両者間の距離は、第１のケース収納部１１ＡのＸＹ平面に沿う最下面と、第１のケース蓋部１１ＢのＸＹ平面に沿う最上面とのＺ方向に沿う距離の１０％以下であることが好ましく、５％以下であることがより好ましい。
【０１３９】
図２６においては、第１のケース仕切り部１２Ａと第２のケース仕切り部１２Ｃとは平面視において重なる。すなわち第１のケース仕切り部１２Ａと第２のケース仕切り部１２Ｃとは、Ｘ方向およびＹ方向の寸法はほぼ同じである。ただし第１のケース仕切り部１２Ａと第２のケース仕切り部１２ＣとのＺ方向の寸法は、同じであってもよいが、異なっていてもよい。
【０１４０】
図２６のリアクトル９０１においては、互いに隣り合う第１のコア片２１などの間の領域が、第１のケース仕切り部１２Ａと第２のケース仕切り部１２Ｃとの双方により埋められる。このため当該間の領域のＺ方向に関する大部分、すなわち９０％以上の領域が仕切り１２で埋められる。これにより、個々の第１のコア片２１の周囲が仕切り１２と第１のケース外枠部１１とにより図２６におけるほぼ１周分囲まれる。したがって個々の第１のコア片２１はその周囲のほとんどの領域が第１のケース外枠部１１または仕切り１２で囲まれ、保持される。これにより、たとえば図３のように仕切り１２として第１のケース収納部１１Ａ側の第１のケース仕切り部１２Ａのみを有する構成に比べて、リアクトル９０１の耐振動性が向上される。
【０１４１】
すなわち、たとえば図３の構成においては、互いに隣り合う第１のコア片２１などの間には、仕切り１２が配置されずギャップとなる領域が広範囲に存在する。この場合、リアクトル１０１に強い振動が加わった際に、仕切り１２が配置されずギャップとなる領域にて、Ｙ方向に隣り合うコア片同士が接触する可能性がある。このような接触は、コア片の損傷および電気的特性の変化を抑制する観点から、回避されることが望ましい。このため図２６のような構成とすることにより、たとえ強い振動が加わっても、隣り合う１対のコア片同士の接触等による不具合が、両者間の第１のケース仕切り部１２Ａおよび第２のケース仕切り部１２Ｃにより抑制される。
【０１４２】
図２７は実施の形態９の第２例に係るリアクトルの完成品の一部分の概略断面図である。図２７を参照して、実施の形態９の第２例に係るリアクトルは、基本的に実施の形態９の第１例のリアクトルと同様の構成を有する。このため実施の形態１と同一の構成要素には同一の符号を付しその説明を繰り返さない。ただし図２７のリアクトル９０２は以下の構成上の特徴を有している。リアクトル９０２においては、複数の第１のコア片２１のうちＹ方向に隣り合う１対の第１のコア片２１の間の領域としてのギャップが複数形成される。第１のケース収納部１１Ａと一体となる第１部分としての第１のケース仕切り部１２Ａと、第１のケース蓋部１１Ｂと一体となる第２部分としての第２のケース仕切り部１２Ｃとは、複数のギャップのそれぞれに、当該複数のギャップのそれぞれが並ぶＹ方向に関して交互に配置される。すなわち図の左側から右側へ並ぶギャップごとに、第１のケース仕切り部１２Ａと、第２のケース仕切り部１２Ｃとが交互に並んでいる。このような構成を有してもリアクトル９０２の機能上は特に問題はない。すなわちリアクトル９０２についても、所望の電気的特性を得ることができる。
【０１４３】
図２８は実施の形態９の第３例に係るリアクトルの完成品の一部分の概略断面図である。図２９は実施の形態９の第４例に係るリアクトルの完成品の一部分の概略断面図である。図２８を参照して、リアクトル９０３はリアクトル１０１，９０１と基本的に同様の構成である。リアクトル９０３では、リアクトル１０１と同様に、Ｙ方向に隣り合う１対の第１のコア片２１の間の領域のすべてに、第１のケース仕切り部１２Ａが配置される。ただしリアクトル９０３では、第１のケース仕切り部１２ＡのＺ方向に延びる長さがリアクトル１０１よりも長い。リアクトル９０３では、隣り合う１対の第１のコア片２１の間の領域のＺ方向に関するほぼ全体の長さを有する第１のケース仕切り部１２Ａが配置される。
【０１４４】
図２９を参照して、リアクトル９０４はリアクトル９０３と基本的に同様の構成である。リアクトル９０４では、Ｙ方向に隣り合う１対の第１のコア片２１の間の領域のすべてに、第２のケース仕切り部１２Ｃが配置される。ただしリアクトル９０４では、第２のケース仕切り部１２ＣのＺ方向に延びる長さがリアクトル９０１よりも長い。リアクトル９０４では、隣り合う１対の第１のコア片２１の間の領域のＺ方向に関するほぼ全体の長さを有する第２のケース仕切り部１２Ｃが配置される。
【０１４５】
図２８および図２９のリアクトル９０３，９０４についても、図２６のリアクトル９０１と同様に、互いに隣り合う第１のコア片２１などの間の領域のＺ方向に関する大部分、すなわち９０％以上の領域が仕切り１２で埋められる。このため図２６のリアクトル９０１と同様に、リアクトル９０４の耐振動性を向上させる効果が得られる。
【０１４６】
なお図２６〜図２９においては、第１のケース収納部１１Ａと第１のケース蓋部１１Ｂとがスナップフィット構造１３により嵌合される例が示されている。しかしこれに限らず、本実施の形態においても、たとえば図３のように第１のケース収納部１１Ａと第１のケース蓋部１１Ｂとは第１のケース接触部１１Ｃにて互いに接触しその外側からケース固定用部材４１により巻き付けられる構成であってもよい。
【０１４７】
また図２６〜図２９は第１のケース１０の第１のケース外枠部１１について説明されている。しかし図２１および図２２の第２のケース１５についても、本実施の形態の仕切り１２と同様の構成が適用されてもよい。
【０１４８】
実施の形態１０．
図３０は実施の形態１０の第１例に係るリアクトルの第１のケースに第２のコア片が挿入される態様を示す概略斜視図である。図３０を参照して、本実施の形態では、平面視にてＵ字形状を有する第１のケース１０としての第１のケース外枠部１１の、２つのＹ方向に沿って延びる部分それぞれのＹ方向正側、すなわちＸ方向に沿って延びる部分側と反対側の端部の構成において実施の形態１，４と異なっている。
【０１４９】
具体的には、図３０の本実施の形態では、第２のコア片２２のうちの一部が、第１のケース１０内に収納されている。上記第２のコア片２２のうちの一部とは、第２のコア片２２の延びるＸ方向の一方および他方の端部である。ただし第２のコア片２２の全体が第１のケース１０内に収納されてもよい。上記第１のケース１０内とは、第１のケース１０のうち、複数の第１のコア片２１Ｂ，２１Ｃが並ぶ第１方向としてのＹ方向の正側の端部である第１の端部である。この第１のケース１０の第１の端部において、第１方向に交差する第２方向であるＸ方向に延びる第２のコア片２２の一方および他方の端部が、第１のケース１０内に収納されている。この点において本実施の形態は、第２のコア片２２が第１のケース１０内に収納されない実施の形態１と構成上異なっている。
【０１５０】
第１のケース収納部１１Ａは、その最もＹ方向正側の領域において、Ｙ方向に延びる最外部の１対の側面およびその内側の１対の側面が欠けている。この側面が欠けた部分が、最外部の１対の開口１８およびその内側の１対の開口１８として形成されている。これらの開口１８は、図３０の点矢印に示すようにＸ方向から第１のケース１０のＹ方向正側端部に第２のコア片２２を出し入れるためのものである。すなわちＸ方向のたとえば右側の最外部の側面に形成された開口１８から、第２のコア片２２が第１のケース１０のＹ方向正側端部に挿入される。このとき第２のコア片２２は、１対の内側の開口１８を通るように、Ｘ方向に移動するように挿入される。その状態が図３１のリアクトル１００１として示される。図３１は実施の形態１０の第１例に係るリアクトルの完成品の外観態様を示す概略斜視図である。図３１を参照して、たとえばＸ方向右側最外部の開口１８から第２のコア片２２が挿入された状態のリアクトル１００１においては、第２のコア片２２のＸ方向の第２の端部に隣接する領域すなわち最外部の少なくとも１つにおいて、第１のケース１０には第２のコア片２２を出し入れるための開口１８が形成されている。ただし図３０および図３１では、第２のコア片２２の延びる方向の一方および他方の第２の端部のそれぞれに隣接するＸ方向最外部と、当該最外部よりも内部とに１対ずつ、合計２対の開口１８が形成されている。この点において本実施の形態は、Ｘ方向の最外部の側面に開口１８が形成されていない実施の形態４と構成上異なっている。
【０１５１】
なお第２のコア片２２が挿入された後の図３１のリアクトル１００１の完成品においては、第１のケース収納部１１ＡのＸ方向最外部の１対の開口１８はテープなどで塞がれることが好ましい。開口１８は、テープ以外の任意の固定部材により塞がれてもよい。第１のケース収納部１１ＡのＸ方向最外部の１対の開口１８がテープなどで塞がれれば、実施の形態４のようにＹ方向正側端部まで第１のケース収納部１１ＡのＸ方向最外部の側面が存在する構成と実質的に同様の構成となる。
【０１５２】
図３０に示すように、第１のケース外枠部１１のＹ方向正側端部の、第２のコア片２２が収納される領域には、複数の第１のコア片２１Ｂが並ぶ第１方向（Ｙ方向）の一方および他方に壁面１７が含まれる。このため本実施の形態では第２のコア片２２は、Ｙ方向正側からは第１のケース外枠部１１のＹ方向正側端部の収納部に挿入できない。第２のコア片２２は壁面１７による干渉を受けるためである。この点において本実施の形態は、Ｙ方向正側の最端部に壁面１７が形成されず、Ｙ方向正側から第１のケース１０内に第２のコア片２２が挿入される実施の形態４とは構成上異なっている。
【０１５３】
以上のような構成とすることにより、リアクトル１００１は、他の実施の形態のリアクトルと同様に、第１のコア片２１および第２のコア片２２により、閉ループ状の閉磁路が形成される。
【０１５４】
図３２は実施の形態１０の第２例に係るリアクトルの第１のケースに第２のコア片が挿入される態様を示す概略斜視図である。図３２を参照して、第２例のリアクトル１００２は基本的にリアクトル１００１と同様の構成を有する。ただしリアクトル１００２においては、第１のケース外枠部１１の第２方向すなわちＸ方向の少なくとも一方の最外部には、図３０と同様に、第２のコア片２２を出し入れるための開口１８が形成されている。ただし第１のケース外枠部１１のＸ方向の上記一方の最外部と反対側の他方の最外部には、たとえば開口１８とＸ方向について対向するように、固定壁部１９が配置されている。つまり当該他方の最外部には、開口１８の代わりに固定壁部１９により当該最外部がＸ方向について塞がれた態様を有している。固定壁部１９は、たとえば第１のケース外枠部１１のＹ方向に延びる最外部の側面の一部であってもよい。
【０１５５】
図３２ではＸ方向の一方の最外部は図の右側であり、他方の最外部は図の左側である。したがって図の右側に開口１８が、図の左側に固定壁部１９が形成される。しかし図示されないがこれとは逆にＸ方向の一方の最外部が図の左側であり、他方の最外部が図の右側であってもよい。この場合、図の左側に開口１８が、図の右側に固定壁部１９が形成される。
【０１５６】
なお図３０〜図３２の本実施の形態の各例においては、第１のケース１０の第１のケース外枠部１１は、第１のケース収納部１１Ａと、第１のケース蓋部１１Ｂとが平面視にてほぼ同一形状のＵ字形状であることが好ましい。このようにすれば、第１のケース収納部１１Ａと第１のケース蓋部１１Ｂとが異なる形状を有する場合に比べて生産性を向上させることができる。ただしこの場合、第１のケース収納部１１Ａと第１のケース蓋部１１Ｂとは固定部材により固定されることが好ましい。ここで、当該固定部材は第１のケース収納部１１Ａの第２のコア片２２が挿入されるＸ方向に交差するＹ方向の一方および他方の端部に取り付けられることが好ましい。当該固定部材として、図３０〜図３２ではたとえばスナップフィット構造１３が取り付けられている。ただし当該固定部材としてはスナップフィット構造１３以外のものが用いられてもよい。このようにすれば、第２のコア片２２の挿入時に第１のケース収納部１１Ａと第１のケース蓋部１１Ｂとを固定する固定部材が第２のコア片２２と干渉しないようにすることができる。
【０１５７】
実施の形態１０のリアクトル１００１，１００２は、上記以外は基本的に実施の形態１〜９のリアクトルと同様の構成を有する。以下実施の形態１〜９と重複するが、要点を再度記載する。以下においてはリアクトル１００１の変形例として説明するが、リアクトル１００２についても同様である。
【０１５８】
実施の形態１０のリアクトル１００１は、第１のケース１０と、コア片２０と、コイル３０とを主に有している。第１のケース１０は、リアクトル１０１のコア片２０により形成される閉ループ、または閉ループ状の閉磁路の一部としての形状を有している。コア片２０は、複数の第１のコア片２１と、第２のコア片２２とを有している。複数の第１のコア片２１は、第１のケース１０内に配置される。
【０１５９】
リアクトル１００１において、第２のコア片２２は、第１のケース１０内すなわち第１のケース外枠部１１に収納される複数の第１のコア片２１Ａ，２１Ｂ，２１Ｃと併せて、概ね矩形状である閉ループ状の閉磁路となるように配置される。なお上記の概ね矩形状である閉ループ状とは、たとえば複数のうちＹ方向に隣り合う１対の第１のコア片２１Ｂの間の空隙、およびこれらの間のＸ方向の位置ずれなどを無視すれば平面視にて概ね矩形状の閉ループに見えることを意味する。
【０１６０】
コイル３０は、閉磁路としてのたとえば図１に示すコア片２０の一部に巻回される。より具体的には、第１のケース外枠部１１の内部に配置される第１のコア片２１ＢのＹ方向に沿って延びる部分に、コイル３０が巻回されている。
【０１６１】
第１のケース１０の外枠としての第１のケース外枠部１１の内部には、複数の第１のコア片２１と、複数の第１のコア片２１のうち隣り合う１対の第１のコア片２１の間を区画する仕切り１２とが配置される。より具体的には、第１のコア片２１に含まれる第１のコア片２１Ａは、第１のケース収納部１１Ａの内部のうち、第１のケース１０としての第１のケース外枠部１１がＸ方向に沿って延びる部分に収まる。複数の第１のコア片２１Ｂ，２１Ｃは、第１のケース収納部１１Ａの内部のうち、第１のケース１０としての第１のケース外枠部１１がＹ方向に沿って延びる部分に収まる。仕切り１２は、第１のケース外枠部１１すなわち第１のケース収納部１１Ａの内部で、複数の第１のコア片２１Ａ，２１Ｂ，２１Ｃのうち隣り合う１対の第１のコア片２１Ａ，２１Ｂ，２１Ｃの間を区画する。
【０１６２】
第１のケース外枠部１１は、複数の第１のコア片２１Ａ，２１Ｂ，２１Ｃを収納可能な第１のケース外枠部１１の部分である第１のケース収納部１１Ａと、第１のケース収納部１１Ａの内部の空間を覆う第１のケース蓋部１１Ｂとを含む。図３１においては、第１のケース蓋部１１Ｂは第１のケース収納部１１Ａと平面視にてほぼ同一形状を有し、第２のコア片２２を含むコア片２０の全体を覆うように配置されている。
【０１６３】
本実施の形態のリアクトル１００１においても、第１のケース収納部１１Ａと、第１のケース蓋部１１Ｂとが、図５中の点線で囲まれた領域に示すような、いわゆるスナップフィット構造１３と呼ばれる嵌合機構により嵌合されていることが好ましい。
【０１６４】
本実施の形態のリアクトル１００１において、上記仕切り１２により区画される隣り合う１対の第１のコア片２１Ｂは、たとえば図１２の寸法ＧＰ２，ＧＰ３が示すような空隙を介して対向していることが好ましい。ただし複数の仕切り１２とそれのＹ方向に隣接する第１のコア片２１Ｂとの間隔としてのコアギャップが複数形成されるが、その複数のコアギャップのうち少なくとも１つのコアギャップがＹ方向に互いに間隔をあけるように空隙を有していることが好ましい。
【０１６５】
本実施の形態のリアクトル１００１において、たとえば図１２における、仕切り１２を介して配置される複数の第１のコア片２１Ｂ，２１Ｃのうち一の隣り合う１対の第１のコア片の間隔は、他の隣り合う１対の第１のコア片の間隔と異なってもよい。上記で一の隣り合う１対の第１のコア片の間隔とは、たとえば第１のコア片２１Ｂ１と第１のコア片２１Ｂ２との間隔である。また上記で他の隣り合う１対の第１のコア片の間隔とは、たとえば第１のコア片２１Ｂ２と第１のコア片２１Ｂ３との間隔である。
【０１６６】
本実施の形態においても、たとえば図１３に示すように、第１のケース外枠部１１の内部には複数のリブ１１Ｅが形成される。リブ１１Ｅは第１のケース外枠部１１の内壁面、特に内側の側面上に、たとえばＹ方向について互いに間隔をあけて複数取り付けられる薄く小さい部材である。複数のリブ１１ＥのうちたとえばＹ方向に関して互いに隣り合う１対のリブ１１Ｅの間に挟まれる溝状の空間部分に、薄い平板状の仕切り１２が挿入される。仕切り１２はリブ１１Ｅに挟まれた複数の溝状の空間部分の領域内で任意に取り外し可能に配置される。
【０１６７】
本実施の形態においても、第１のケース１０は、他の実施の形態と同様に、第１のケース外枠部１１と、仕切り１２とを含む。第１のケース外枠部１１は複数の第１のコア片２１を収納可能である。仕切り１２は第１のケース外枠部１１の内部に配置される。仕切り１２においては、たとえば図１４に示すように間隔をあけて配置された複数の第１のケース仕切り部１２Ａが仕切りベース部１２Ｂに取り付けられ、仕切りベース部１２Ｂと一体になっている。仕切りベース部１２Ｂと、これに取り付けられ一体となった複数の第１のケース仕切り部１２Ａとからなる仕切り１２は、第１のケース外枠部１１に対して脱着可能となっている。
【０１６８】
本実施の形態のリアクトル１００１においても、図２６のように、第１のケース１０は、第１のケース外枠部１１と、仕切り１２とを含む。第１のケース外枠部１１は複数の第１のコア片２１を収納可能である。仕切り１２は第１のケース外枠部１１の内部に配置される。仕切り１２においては、間隔をあけて配置された複数の第１のケース仕切り部１２Ａが仕切りベース部１２Ｂに取り付けられ、仕切りベース部１２Ｂと一体になっている。仕切り１２は、第１のケース外枠部１１に対して脱着可能となっている。第１のケース蓋部１１Ｂには、仕切り１２としての第２のケース仕切り部１２Ｃが、第１のケース蓋部１１Ｂと一体となるように形成されている。このような構成であってもよい。この場合、リアクトル１００１においては、第１のケース収納部１１Ａに第１のケース仕切り部１２Ａが、第１のケース蓋部１１Ｂに第２のケース仕切り部１２Ｃが、形成される。言い換えればリアクトル１００１においては、ケース仕切り部は、第１のケース収納部１１Ａと第１のケース蓋部１１Ｂとの双方に形成される。
【０１６９】
本実施の形態のリアクトル１００１において、第１のケース仕切り部１２Ａは第１のケース収納部１１Ａと一体となるように形成された第１部分である。第２のケース仕切り部１２Ｃは第１のケース蓋部１１Ｂと一体となるように形成された第２部分である。このような構成であってもよい。
【０１７０】
本実施の形態のリアクトル１００１においても、図２７のように、複数の第１のコア片２１のうちＹ方向に隣り合う１対の第１のコア片２１の間の領域としてのギャップが複数形成される。第１のケース収納部１１Ａと一体となる第１部分としての第１のケース仕切り部１２Ａと、第１のケース蓋部１１Ｂと一体となる第２部分としての第２のケース仕切り部１２Ｃとは、複数のギャップのそれぞれに、当該複数のギャップのそれぞれが並ぶＹ方向に関して交互に配置される。このような構成であってもよい。
【０１７１】
本実施の形態においても、たとえば図９のように、第１のケース外枠部１１の内部には、緩衝材４３および接着剤４４の少なくともいずれか一方が配置される。第１のケース外枠部１１と、複数の第１のコア片２１とは、緩衝材４３および接着剤４４の少なくともいずれか一方により接合される。したがって、第１のケース外枠部１１の内部には、緩衝材４３および接着剤４４の双方が配置されてもよい。また第１のケース外枠部１１と、複数の第１のコア片２１とは、緩衝材４３および接着剤４４の双方により接合されてもよい。
【０１７２】
本実施の形態のリアクトル１００１においても、図１６のように、第１のケース１０としての第１のケース外枠部１１の外側に配置されるボビン部４０をさらに備えていてもよい。この場合、コイル３０はボビン部４０の外側に巻回される。
【０１７３】
本実施の形態のリアクトル１００１においても、第１のケース外枠部１１には、複数の第１のコア片２１Ｂ，２１Ｃのそれぞれを介して互いに対向する少なくとも１組の面のそれぞれに開口部１４が形成されてもよい。したがって、図１７および図１８のように第１のケース収納部１１ＡのＺ方向最下面およびそれに対向する第１のケース蓋部１１Ｂの位置に開口部１４が形成されてもよい。あるいはたとえば第１のケース収納部１１Ａの仕切り１２に区切られた各領域の、互いに対向する１組の側面に相当する領域のそれぞれのたとえば平面視での中央部などの一部の領域に、開口部１４が形成されてもよい。
【０１７４】
次に、本実施の形態の作用効果について説明する。上記のように、本実施の形態のリアクトル１００１は、第１のケース１０と、複数の第１のコア片２１と、第２のコア片２２と、コイル３０とを備えている。第１のケース１０は、閉ループの一部としての形状を有する。複数の第１のコア片２１は、第１のケース１０内に配置される。第２のコア片２２は、第１のケース１０内の複数の第１のコア片２１と併せて閉ループ状の閉磁路となるように配置される。コイル３０は閉磁路に巻回される。第１のケース１０の外枠としての第１のケース外枠部１１の内部には、複数の第１のコア片２１Ｂ（２１Ｃ）と、複数の第１のコア片２１Ｂ（２１Ｃ）のうち隣り合う１対の第１のコア片２１Ｂ（２１Ｃ）の間を区画する仕切り１２とが配置される。第２のコア片２２の少なくとも一部は、複数の第１のコア片２１Ｂ（２１Ｃ）が並ぶ第１方向（Ｙ方向）の第１の端部において、第１方向に交差する第２方向（Ｘ方向）に延びるように、第１のケース１０内に収納される。第１のケース１０内に収納された第２のコア片２２の第２方向の第２の端部に隣接する最外部の少なくとも１つにおいて、第１のケース１０には第２のコア片２２を出し入れるための開口１８が形成される。第１のケース外枠部１１は、複数の第１のコア片２１を収納可能な第１のケース外枠部１１の部分である第１のケース収納部１１Ａと、第１のケース収納部１１Ａの内部の空間を覆う第１のケース蓋部１１Ｂとを含む。
【０１７５】
本実施の形態においても、第１のケース外枠部１１の外形寸法を規定し、その中に第１のコア片２１および第２のコア片２２を収納する。これだけで、各複数の第１のコア片２１間および第１のコア片２１と第２のコア片２２との間のコアギャップの総和の値を管理することができる。このため各第１のコア片２１間などのコアギャップを精確に管理する必要がない。また複雑な機構部品を用いて各第１のコア片２１などを固定する必要もない。ただ仕切り１２を有する第１のケース外枠部１１を用いるだけで、リアクトル１００１を容易に生産することができる。すなわちリアクトル１００１の生産性を大幅に向上させることができる。
【０１７６】
上記のように本実施の形態では、第２のコア片２２の少なくとも一部、特にその延びる方向の端部が、第１のケース１０内に収納される。第１のケース１０には第２のコア片２２を出し入れるための開口１８が形成されている。このように、第１のケース１０内には第１のコア片２１だけでなく、閉磁路を構成する第２のコア片２２も配置される。このため第２のコア片２２の第１のケース外枠部１１に対する固定をより簡易にすることができる。たとえばリアクトル１００１においては、Ｙ方向について第２のコア片２２を挟むように壁面１７が配置される。これにより第２のコア片２２はＹ方向について壁面１７からの干渉を受けるため、第２のコア片２２のＹ方向についての固定がより確実になされる。
【０１７７】
またたとえばリアクトル１００１においては、Ｘ方向について開口１８を塞ぐようにテープなどの固定部材が配置される。これにより特にＸ方向については第２のコア片２２の延びる方向の端部がテープなどの固定部材からの干渉を受けるため、第２のコア片２２のＸ方向についての固定がより確実になされる。以上により、第２のコア片２２の第１のケース外枠部１１に対する固定強度を向上することができる。
【０１７８】
本実施の形態においては、たとえばリアクトル１００２のように、開口１８は第１のケース外枠部１１の第２方向の一方の最外部であるたとえば右側の最外部に形成される。第１のケース外枠部１１の第２方向の、一方の最外部と反対側の他方の最外部であるたとえば左側の最外部には、固定壁部１９が形成される。第２のコア片２２が出し入れされるためには、少なくとも１つの開口１８が、一方の最外部に形成されていれば十分である。そして他方の最外部には固定壁部１９が形成されれば、一方および他方の最外部の双方に開口１８が形成される場合に比べて、第２のコア片２２の挿入後に塞ぐべき開口１８を減らすことができる。このため第２のコア片２２のＸ方向の固定をより容易にできる。つまり第２のコア片２２の挿入後に、一方の最外部の開口１８のみをテープなどで塞いで固定すればよい。このため一方および他方の最外部の双方に開口１８が形成される場合に比べて、第２のコア片２２を容易に固定し、リアクトル１００２を容易に形成できる。リアクトル１００２においては、第２のコア片２２がＸ方向について、固定壁部１９から干渉を受けるため、第２のコア片２２のＸ方向についての固定がより確実になされる。
【０１７９】
その他の作用効果は、実施の形態１と同様であるが、要点を再度記載する。本実施の形態のリアクトル１００１は、仕切り１２により区画される隣り合う１対の第１のコア片２１Ｂ（２１Ｃ）が、空隙を介して対向していることが好ましい。このようにすれば、仕切り１２を含む第１のケース１０の外形寸法により、複数の第１のコア片２１Ｂなどの間隔としてのコアギャップの総和が自動的に決まる。このため第１のケース１０内への各第１のコア片２１Ｂの導入時に特に注意を配らなくても、簡単にコアギャップの総和が決まり、リアクトル１００１のインダクタンスなどの特性を決定することができる。このためリアクトル１００１を容易に生産することができる。
【０１８０】
本実施の形態のリアクトル４０１は、第１のケース外枠部１１の内部には互いに間隔をあけて複数のリブ１１Ｅが形成される。複数のリブ１１Ｅのうち互いに隣り合う１対のリブ１１Ｅの間に、仕切り１２が取り外し可能に配置される。このような構成であってもよい。このようにすれば、リブ１１Ｅにより、仕切り１２の配置される位置を、第１のケース外枠部１１の内部にて変更することができる。つまり第１のケース外枠部１１の内部の状態の汎用性を高くすることができる。これにより、第１のコア片２１の大きさが変更されても仕切り１２の設置位置を変えることにより第１のコア片２１を第１のケース外枠部１１の内部に収納する自由度が高められる。
【０１８１】
本実施の形態のリアクトル４０１は、第１のケース１０は、複数の第１のコア片２１を収納可能な第１のケース外枠部１１と、第１のケース外枠部１１の内部に配置され第１のケース外枠部１１に対して脱着可能な仕切り１２とを含む。このような構成であってもよい。たとえば図１４に示すように仕切り１２は、複数の第１のケース仕切り部１２Ａが間隔を隔てて一体となっている。これにより実施の形態２，３と同様に、仕切り１２を第１のケース外枠部１１に対して取り外しが可能となる。このため、たとえば第１のコア片２１が小片である場合には仕切り１２を第１のケース外枠部１１内に収めた上で第１のコア片２１を収め、第１のコア片２１が大片である場合には仕切り１２を収めずに第１のケース外枠部１１内に直接第１のコア片２１を収めることができる。
【０１８２】
本実施の形態のリアクトル１００１は、第１のケース１０は、複数の第１のコア片２１を収納可能な第１のケース外枠部１１と、第１のケース外枠部１１の内部に配置され第１のケース外枠部１１に対して脱着可能な仕切り１２とを含む。仕切り１２は、複数の第１のケース仕切り部１２Ａが間隔を隔てて一体となっている。第１のケース蓋部１１Ｂには、仕切り１２としての第２のケース仕切り部１２Ｃが、第１のケース蓋部１１Ｂと一体となるように形成されている。第１のケース仕切り部１２Ａは、第１のケース収納部１１Ａに一体形成された第１部分である。第２のケース仕切り部１２Ｃは、第１のケース蓋部１１Ｂに一体形成された第２部分である。このような構成であってもよい。このようにすれば、第１のケース収納部１１Ａおよび第１のケース蓋部１１Ｂのそれぞれと一体で仕切り１２を形成することができる。このため仕切り１２としての第１のケース仕切り部１２Ａと第１のケース収納部１１Ａとを同一工程で形成できる。また仕切り１２としての第２のケース仕切り部１２Ｃと第１のケース蓋部１１Ｂとを同一工程で形成できる。さらに、ケース仕切り部が第１のケース収納部１１Ａと第１のケース蓋部１１Ｂとの双方に一体に形成される場合においても、これらすべてを同一工程で形成できるため、工程を簡略化できる。
【０１８３】
本実施の形態のリアクトル１００１は、複数の第１のコア片２１のうちＹ方向に隣り合う１対の第１のコア片２１の間の領域としてのギャップが複数形成される。第１のケース収納部１１Ａと一体となる第１部分としての第１のケース仕切り部１２Ａと、第１のケース蓋部１１Ｂと一体となる第２部分としての第２のケース仕切り部１２Ｃとは、複数のギャップのそれぞれに、当該複数のギャップのそれぞれが並ぶＹ方向に関して交互に配置される。すなわち図の左側から右側へ並ぶギャップごとに、第１のケース仕切り部１２Ａと、第２のケース仕切り部１２Ｃとが交互に並んでいる。このような構成を有してもリアクトル９０２の機能上は特に問題はない。すなわちリアクトル９０２についても、所望の電気的特性を得ることができる。
【０１８４】
本実施の形態のリアクトル１００１においても、第１のケース収納部１１Ａと、第１のケース蓋部１１Ｂとは、嵌合機構としてのたとえばスナップフィット構造１３により嵌合されていることが好ましい。これによりリアクトル１０２では、第１のケース収納部１１Ａと第１のケース蓋部１１Ｂとの嵌合強度が、リアクトル１０１よりも高められる。またこれにより、リアクトル１０２の耐振動性を向上することができる。
【０１８５】
本実施の形態のリアクトル１００１においても、第１のケース外枠部１１の内部には、緩衝材４３および接着剤４４の少なくともいずれか一方が配置される。第１のケース外枠部１１と、複数の第１のコア片２１とは、緩衝材４３および接着剤４４の少なくともいずれか一方により接合される。このような構成であってもよい。これにより、第１のケース外枠部１１と第１のコア片２１とを充分な強度で接合できる。
【０１８６】
本実施の形態のリアクトル１００１は、第１のケース１０としての第１のケース外枠部１１の外側に配置されるボビン部４０をさらに備えている。コイル３０はボビン部４０の外側に巻回される。このような構成であってもよい。ボビン部４０を用いることにより、電線などの形状を安定させるために煩雑な工程を経る必要がなくなる。以上により、本実施の形態によれば、リアクトルの特にコイル３０の部分の生産効率が向上できる。
【０１８７】
本実施の形態のリアクトル１００１は、第１のケース外枠部１１には、複数の第１のコア片２１Ｂ，２１Ｃのそれぞれを介して互いに対向する少なくとも１組の面のそれぞれに開口部１４が形成されている。このような構成であってもよい。これにより、第１のコア片２１などを効率的に冷却する効果と、第１のコア片２１の割れの有無などの視認を容易にする効果とが得られる。
【０１８８】
本実施の形態のリアクトル１００１においても、たとえば図１２のように、仕切り１２を介して配置される複数の第１のコア片２１Ｂ，２１Ｃのうち一の隣り合う１対の第１のコア片２１Ｂ，２１Ｃの間隔である寸法ＧＰ２は、他の隣り合う１対の第１のコア片２１Ｂ，２１Ｃの間隔である寸法ＧＰ３と異なってもよい。このようにしてもリアクトル１００１の機能上問題はない。
【０１８９】
以上に述べた各実施の形態（に含まれる各例）に記載した特徴を、技術的に矛盾のない範囲で適宜組み合わせるように適用してもよい。
【０１９０】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１９１】
１０  第１のケース、１１  第１のケース外枠部、１１Ａ  第１のケース収納部、１１Ｂ  第１のケース蓋部、１１Ｃ  第１のケース接触部、１１Ｄ  ケース端部、１１Ｅ  リブ、１１Ｆ  端部、１２  仕切り、１２Ａ  第１のケース仕切り部、１２Ｂ  仕切りベース部、１２Ｃ  第２のケース仕切り部、１２Ｅ１，１２Ｅ２  仕切り端部、１３  スナップフィット構造、１４  開口部、１５  第２のケース、１６  第２のケース外枠部、１６Ａ  第２のケース収納部、１６Ｂ  第２のケース蓋部、１７  壁面、１８  開口、１９  固定壁部、２０  コア片、２１，２１Ａ，２１Ｂ，２１Ｃ  第１のコア片、２２  第２のコア片、３０  コイル、３１  固定部材、４０  ボビン部、４１  ケース固定用部材、４２  突起形状、４３  緩衝材、４４  接着剤、５１  熱伝導部材、５２  筐体、５３  基板、１０１，１０２，１０３，４０１，６０１，７０１，８０１，９０１，９０２，９０３，９０４，１００１，１００２  リアクトル、ＭＦ  磁束、ＨＴ  熱伝導経路、ＷＤ  冷却風。
【図１】
2020066631.tif 000003
【図２】
2020066631.tif 000004
【図３】
2020066631.tif 000005
【図４】
2020066631.tif 000006
【図５】
2020066631.tif 000007
【図６】
2020066631.tif 000008
【図７】
2020066631.tif 000009
【図８】
2020066631.tif 000010
【図９】
2020066631.tif 000011
【図１０】
2020066631.tif 000012
【図１１】
2020066631.tif 000013
【図１２】
2020066631.tif 000014
【図１３】
2020066631.tif 000015
【図１４】
2020066631.tif 000016
【図１５】
2020066631.tif 000017
【図１６】
2020066631.tif 000018
【図１７】
2020066631.tif 000019
【図１８】
2020066631.tif 000020
【図１９】
2020066631.tif 000021
【図２０】
2020066631.tif 000022
【図２１】
2020066631.tif 000023
【図２２】
2020066631.tif 000024
【図２３】
2020066631.tif 000025
【図２４】
2020066631.tif 000026
【図２５】
2020066631.tif 000027
【図２６】
2020066631.tif 000028
【図２７】
2020066631.tif 000029
【図２８】
2020066631.tif 000030
【図２９】
2020066631.tif 000031
【図３０】
2020066631.tif 000032
【図３１】
2020066631.tif 000033
【図３２】
2020066631.tif 000034
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
閉ループの一部としての形状を有する第１のケースと、
前記第１のケース内に配置される複数の第１のコア片と、
前記第１のケース内の前記複数の第１のコア片と併せて閉ループ状の閉磁路となるように配置される第２のコア片と、
前記閉磁路に巻回されるコイルとを備え、
前記第１のケースの外枠としての第１のケース外枠部の内部には、前記複数の第１のコア片を収納する収納領域を区画する複数の仕切りが配置され、
前記第１のケースは、前記第２のコア片の少なくとも一部を収納し、
平面視において、前記収納領域は、前記第１のコア片よりも大きい、リアクトル。
【請求項２】
前記第１のケース外枠部は、前記複数の第１のコア片を収納可能な前記第１のケース外枠部の部分である第１のケース収納部と、前記第１のケース収納部の内部の空間を覆う第１のケース蓋部とを含む、請求項１に記載のリアクトル。
【請求項３】
前記第１のケースは、前記複数の第１のコア片を収納可能な前記第１のケース外枠部と、前記第１のケース外枠部の内部に配置され前記第１のケース外枠部に対して脱着可能な前記仕切りとを含み、
前記仕切りは、複数の第１のケース仕切り部が間隔を隔てて一体となっており、
前記第１のケース蓋部には、前記仕切りとしての第２のケース仕切り部が、前記第１のケース蓋部と一体となるように形成されている、請求項２に記載のリアクトル。
【請求項４】
前記第１のケース仕切り部は、前記第１のケース収納部に一体形成された第１部分であり、
前記第２のケース仕切り部は、前記第１のケース蓋部に一体形成された第２部分である、請求項３に記載のリアクトル。
【請求項５】
前記複数の第１のコア片のうち隣り合う１対の第１のコア片の間の領域としてのギャップが複数形成され、
前記第１部分と、前記第２部分とは、前記複数のギャップのそれぞれに、前記複数のギャップのそれぞれが並ぶ方向に関して交互に配置される、請求項４に記載のリアクトル。
【請求項６】
前記第１のケース収納部と、前記第１のケース蓋部とは、嵌合機構により嵌合されている、請求項２〜５のいずれか１項に記載のリアクトル。
【請求項７】
前記第１のケースは、前記複数の第１のコア片を収納可能な前記第１のケース外枠部と、前記第１のケース外枠部の内部に配置され前記第１のケース外枠部に対して脱着可能な前記仕切りとを含み、
前記仕切りは、複数の第１のケース仕切り部が間隔を隔てて一体となっている、請求項１または２のいずれか１項に記載のリアクトル。
【請求項８】
前記閉ループの延びる方向において、前記収納領域の長さが、前記収納領域内に収納される前記複数の第１のコア片のそれぞれの長さよりも長い、請求項１〜７のいずれか１項に記載のリアクトル。
【請求項９】
前記閉ループの延びる方向において、前記複数の仕切りのそれぞれと、前記収納領域内に収納された前記複数の第１のコア片のそれぞれとの間に第１の空隙を有する、請求項１〜８のいずれか１項に記載のリアクトル。
【請求項１０】
前記複数の第１のコア片および前記第２のコア片はＭｎ−Ｚｎ合金およびＮｉ−Ｚｎ合金のいずれかからなる、請求項１〜９のいずれか１項に記載のリアクトル。
【請求項１１】
前記仕切りにより区画される前記隣り合う１対の第１のコア片は、第２の空隙を介して対向している、請求項１〜１０のいずれか１項に記載のリアクトル。
【請求項１２】
前記第１のケース外枠部の内部には互いに間隔をあけて複数のリブが形成され、
前記複数のリブのうち互いに隣り合う１対のリブの間に、前記仕切りが取り外し可能に配置される、請求項１〜１１のいずれか１項に記載のリアクトル。
【請求項１３】
前記第１のケース外枠部の内部には、緩衝材および接着剤の少なくともいずれか一方が配置され、
前記第１のケース外枠部と、前記複数の第１のコア片とは、前記緩衝材および前記接着剤の少なくともいずれか一方により接合される、請求項１〜１２のいずれか１項に記載のリアクトル。
【請求項１４】
前記第１のケースの外側に配置されるボビン部をさらに備え、
前記コイルは前記ボビン部の外側に巻回されている、請求項１〜１３のいずれか１項に記載のリアクトル。
【請求項１５】
前記第１のケース外枠部には、前記複数の第１のコア片のそれぞれを介して互いに対向する少なくとも１組の面のそれぞれに開口部が形成されている、請求項１〜１４のいずれか１項に記載のリアクトル。
【請求項１６】
前記仕切りを介して配置される前記複数の第１のコア片のうち一の隣り合う１対の第１のコア片の間隔は、他の前記隣り合う１対の第１のコア片の間隔と異なる、請求項１〜１５のいずれか１項に記載のリアクトル。
【請求項１７】
閉ループの一部としての形状を有する第１のケースと、
前記第１のケース内に配置される複数の第１のコア片と、
前記第１のケース内の前記複数の第１のコア片と併せて閉ループ状の閉磁路となるように配置される第２のコア片と、
前記閉磁路に巻回されるコイルとを備え、
前記第１のケースの外枠としての第１のケース外枠部の内部には、前記複数の第１のコア片を収納する収納領域を区画する複数の仕切りが配置され、
前記第２のコア片の少なくとも一部は、前記複数の第１のコア片が並ぶ第１方向の第１の端部において、前記第１方向に交差する第２方向に延びるように、前記第１のケースは前記第２のコア片の少なくとも一部を収納し、
前記第１のケース内に収納された前記第２のコア片の前記第２方向の第２の端部に隣接する最外部の少なくとも１つにおいて、前記第１のケースには前記第２のコア片を出し入れるための開口が形成され、
平面視において、前記収納領域は、前記第１のコア片よりも大きい、リアクトル。
【請求項１８】
前記開口は前記第１のケース外枠部の前記第２方向の一方の最外部に形成され、
前記第１のケース外枠部の前記第２方向の、前記一方の最外部と反対側の他方の最外部には、固定壁部が形成される、請求項１７に記載のリアクトル。
【手続補正２】
【補正対象書類名】明細書
【補正対象項目名】０００８
【補正方法】変更
【補正の内容】
【０００８】
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片を収納する収納領域を区画する複数の仕切りが配置される。第１のケースは、第２のコア片の少なくとも一部を収納する。平面視において、収納領域は第１のコア片よりも大きい。
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片と、複数の第１のコア片のうち隣り合う１対の第１のコア片の間を区画する仕切りとが配置される。第１のケースは、第２のコア片の少なくとも一部を収納可能な形状を有する。第１のケース外枠部は、複数の第１のコア片を収納可能な第１のケース外枠部の部分である第１のケース収納部と、第１のケース収納部の内部の空間を覆う第１のケース蓋部とを含む。
【手続補正３】
【補正対象書類名】明細書
【補正対象項目名】０００９
【補正方法】変更
【補正の内容】
【０００９】
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片を収納する収納領域を区画する複数の仕切りが配置される。第２のコア片の少なくとも一部は、複数の第１のコア片が並ぶ第１方向の第１の端部において、第１方向に交差する第２方向に延びるように、第１のケースは第２のコア片の少なくとも一部を収納する。第１のケース内に収納された第２のコア片の第２方向の第２の端部に隣接する最外部の少なくとも１つにおいて、第１のケースには第２のコア片を出し入れるための開口が形成される。平面視において、収納領域は第１のコア片よりも大きい。
本発明に係るリアクトルは、第１のケースと、複数の第１のコア片と、第２のコア片と、コイルとを備える。第１のケースは閉ループの一部としての形状を有する。複数の第１のコア片は第１のケース内に配置される。第２のコア片は第１のケース内の複数の第１のコア片と併せて閉ループ状の閉磁路となるように配置される。コイルは閉磁路に巻回される。第１のケースの外枠としての第１のケース外枠部の内部には、複数の第１のコア片と、複数の第１のコア片のうち隣り合う１対の第１のコア片の間を区画する仕切りとが配置される。第２のコア片の少なくとも一部は、複数の第１のコア片が並ぶ第１方向の第１の端部において、第１方向に交差する第２方向に延びるように、第１のケース内に収納される。第１のケース内に収納された第２のコア片の第２方向の第２の端部に隣接する最外部の少なくとも１つにおいて、第１のケースには第２のコア片を出し入れるための開口が形成される。第１のケース外枠部は、複数の第１のコア片を収納可能な第１のケース外枠部の部分である第１のケース収納部と、第１のケース収納部の内部の空間を覆う第１のケース蓋部とを含む。
【国際調査報告】
2020066631.tif 000035
2020066631.tif 000036
2020066631.tif 000037
2020066631.tif 000038